(57)【要約】本発明は、Ｋｉ−６７タンパク質陽性細胞核を含む細胞の数を、Ｋｉ−６７抗体を用いて検出するための前処理方法、該検出方法、該検出方法に用いるキット、及び該方法を用いた治療レジメン選定を提供する。Ｋｉ−６７抗原の賦活化に向かないとされる酵素による賦活化を検討し、ＭＩＢ−１のエピトープを認識しない酵素（レアカッター酵素）で試料を前処理すると、サイトケラチンを含む他の抗原の抗原性も増強しつつ、Ｋｉ−６７抗原の抗原賦活化を増強した。その結果、ＦＦＰＥ切片から抗原性を増強させたまま細胞核を脱離させ、その核に存在するＫｉ−６７タンパク質を標的とし、蛍光標識した抗体を反応させることで、より客観性、再現性、普遍性の高いＫｉ−６７陽性細胞の定量方法を完成させた。
2019168085.tif 000002
【特許請求の範囲】
【請求項１】
固定化された細胞群中のＫｉ−６７陽性細胞核を含む細胞を、抗Ｋｉ−６７抗体を用いて検出する方法であって、
１）固定化された細胞群を配列番号２のペプチドを認識切断しない加水分解酵素で前処理して抗原を賦活化する工程、その後
２）抗Ｋｉ−６７抗体を用いて免疫染色する工程、及び
３）染色されたＫｉ−６７陽性細胞又はＫｉ−６７陽性細胞核を検出する工程を含む、方法。
【請求項２】
前記抗体が、ＭＩＢ−１、ＤＡＫＯ−ＰＣ、Ｋｉ−Ｓ５及びＡ−００４７からなる群から選択される少なくとも一種である、請求項１に記載の方法。
【請求項３】
前記酵素が、トロンビン、Ａｒｇ−Ｃ（クロストリパイン）ペプチターゼ、プロリンエンドペプチターゼ及びヒアルロニダーゼからなる群から選択される少なくとも一種である、請求項１又は２に記載の方法。
【請求項４】
前記酵素が、トロンビン及び／又はヒアルロニダーゼであり、前記抗体が、ＭＩＢ−１である、請求項１に記載の方法。
【請求項５】
前記固定化された細胞群が、ホルマリン、グルタルアルデヒド、アルコール、アセトン及びそれらの組み合わせからなる群から選択される固定化剤で固定されている、請求項１〜４のいずれか一項に記載の方法。
【請求項６】
工程１）の前に熱処理により賦活化することを含む、請求項１〜５のいずれか一項に記載の方法。
【請求項７】
さらに細胞核を特異的に染色し、染色された細胞核を検出することを含む、請求項１〜６のいずれか一項に記載の方法。
【請求項８】
さらに、抗サイトケラチン抗体を用いてサイトケラチンを免疫染色し、染色された陽性細胞を検出することを含む、請求項１〜７のいずれか一項に記載の方法。
【請求項９】
さらに抗エストロジェン受容体（ＥＲ）抗体及び／又は抗プロゲステロン受容体（ＰｇＲ）抗体を用いてＥＲ及び／又はＰｇＲを免疫染色し、染色された陽性細胞又は陽性細胞核を検出することを含む、請求項１〜８のいずれか一項に記載の方法。
【請求項１０】
さらにＨＥＲ２遺伝子にハイブリダイズするプローブを用いて、ＨＥＲ２遺伝子が増幅されている細胞又は細胞核を検出することを含む、請求項１〜９のいずれか一項に記載の方法。
【請求項１１】
前記固定化された細胞群が組織切片に含まれている、請求項１〜１０のいずれか一項に記載の方法。
【請求項１２】
前記組織切片が、包理剤で包理されており、
前記加水分解酵素で抗原を賦活化する工程の前に、該包理剤を除去し、該組織切片を親水化する工程を含む、請求項１１に記載の方法。
【請求項１３】
工程１）と工程２）の間に、前記細胞を破砕して細胞核を抽出する工程を含む、請求項１１又は請求項１２に記載の方法。
【請求項１４】
せん断応力により前記細胞を破砕して、細胞核を抽出する、請求項１３に記載の方法。
【請求項１５】
界面活性剤を含む緩衝液中で、前記細胞核を抽出する請求項１３又は１４に記載の方法。
【請求項１６】
前記界面活性剤が、ＣＨＡＰＳ、ＮＰ−４０、およびＴｒｉｔｏｎ−Ｘ１００から選択される少なくとも一種である、請求項１５に記載の方法。
【請求項１７】
前記染色されたＫｉ−６７陽性細胞又はＫｉ−６７陽性細胞核の数をカウントする、請求項１〜１６のいずれか一項に記載の方法。
【請求項１８】
前記Ｋｉ−６７陽性細胞又は前記Ｋｉ−６７陽性細胞核を、蛍光染色し、フローサイトメトリーを用いてカウントする、請求項１〜１７のいずれかに記載の方法。
【請求項１９】
前記固定化された細胞又は前記組織切片が患者由来である、請求項１〜１８のいずれか一項に記載の方法。
【請求項２０】
前記固定化された細胞又は前記組織切片が患者の腫瘍組織由来である、請求項１〜１８のいずれか一項に記載の方法。
【請求項２１】
前記固定化された細胞又は前記腫瘍組織が、乳癌細胞又は乳癌組織である、請求項２０に記載の方法。
【請求項２２】
がんの診断を補助するための、請求項２０又は２１に記載の方法。
【請求項２３】
がん治療の予後を診断するのを補助するための、請求項２０又は２１に記載の方法。
【請求項２４】
癌の治療レジメンを決定するための方法であって、請求項２０又は２１に記載の方法により、細胞群内のＫｉ−６７陽性細胞の割合を算定し、割合がカットオフ値以上の場合は内分泌療法と化学療法の併用を選択し、割合がカットオフ値未満の場合は、内分泌療法単独を選択する方法。
【請求項２５】
請求項２０又は２１に記載の方法により、細胞群内のＫｉ−６７陽性細胞の割合を算定し、割合がカットオフ値以上の場合は内分泌療法と化学療法の併用を選択し、割合がカットオフ値未満の場合は、内分泌療法単独を選択して、患者に施し、癌を治療する方法。
【請求項２６】
固定化された腫瘍細胞群又は腫瘍組織を配列番号２のペプチドを認識切断しない加水分解酵素で前処理してＫｉ−６７を賦活化する方法。
【請求項２７】
配列番号２のペプチドを認識切断しない加水分解酵素を含む、Ｋｉ−６７を免疫染色で検出する細胞又は組織試料に用いられる抗原賦活化剤。
【請求項２８】
前記酵素が、トロンビン、Ａｒｇ−Ｃ（クロストリパイン）ペプチターゼ、プロリンエンドペプチターゼ及びヒアルロニダーゼからなる群から選択される少なくとも一種である、請求項２７に記載の抗原賦活化剤。
【請求項２９】
前記酵素がトロンビン及び/又はヒアルロニダーゼである、請求項２８に記載の抗原賦活化剤。
【請求項３０】
配列番号２のペプチドを認識切断しない加水分解酵素を含む、Ｋｉ−６７及びサイトケラチンを免疫染色で同時検出する細胞又は組織試料に用いられる抗原賦活化剤。
【請求項３１】
さらにＥＲ及び／又はＰｇＲを免疫染色して検出する細胞又は組織試料に用いられる、請求項２７〜３０のいずれか一項に記載の抗原賦活化剤。
【請求項３２】
さらに、ＨＥＲ２遺伝子を増幅している細胞を検出する試料に用いられる、請求項２７〜３１のいずれか一項に記載の抗原賦活化剤。
【請求項３３】
固定化された細胞中のＫｉ−６７陽性細胞を検出するためのキットであって、
配列番号２のペプチドを認識切断しない加水分解酵素と、
抗Ｋｉ−６７抗体と
を含む、キット。
【請求項３４】
前記加水分解酵素は、トロンビン、Ａｒｇ−Ｃ（クロストリパイン）ペプチターゼ、プロリンエンドペプチターゼ及びヒアルロニダーゼからなる群から選択される少なくとも一種である、請求項３３に記載のキット。
【請求項３５】
前記加水分解酵素は、トロンビン及び／又はヒアルロニダーゼである、請求項３４に記載のキット。
【請求項３６】
前記抗Ｋｉ−６７抗体は、ＭＩＢ−１、ＤＡＫＯ−ＰＣ、Ｋｉ−Ｓ５及びＡ−００４７からなる群から選択される少なくとも一種である、請求項３３〜３５のいずれか一項に記載のキット。
【請求項３７】
更に、Ｋｉ−６７と組み合わせて、がんの診断を補助するため、又はがんの治療の予後を診断するのを補助するために用いられる他のマーカーを検出するためのリガンドを含む、請求項３３〜３６のいずれか一項に記載のキット。
【請求項３８】
前記リガンドは、抗サイトケラチン抗体、抗ＥＲ抗体、抗ＰｇＲ抗体、及びＨＥＲ２遺伝子にハイブリダイズするプローブからなる群から選択される少なくとも一種である、請求項３７に記載のキット。
【請求項３９】
更に、核染色用の化合物を含む、請求項３３〜３８のいずれか一項に記載のキット。
【請求項４０】
更に、細胞を分散させるための緩衝液を含み、該緩衝液は、界面活性剤を含有する、請求項３３〜３９のいずれか一項に記載のキット。
【請求項４１】
更に、熱処理抗原賦活化剤を含む、請求項３３〜４０のいずれか一項に記載のキット。
【請求項４２】
がんの診断を補助するための、請求項３３〜４１のいずれか一項に記載のキット。
【請求項４３】
がん治療の予後を診断するのを補助するための、請求項３３〜４１のいずれか一項に記載のキット。
【請求項４４】
癌の治療レジメンを決定するための、請求項３３〜４１のいずれか一項に記載のキット。
【請求項４５】
前記治療レジメンの決定は、細胞群内のＫｉ−６７陽性細胞の割合を算定し、割合がカットオフ値以上の場合は内分泌療法と化学療法の併用を選択し、割合がカットオフ値未満の場合は、内分泌療法単独を選択することによって行なわれる、キット。
【請求項４６】
せん断応力により固定化された細胞を破砕して細胞核を抽出するためのキットであって、
界面活性剤を含有する細胞分散用緩衝液を含む、キット。
【請求項４７】
水流、超音波などで生じるせん断応力により固定化された細胞を破砕して、細胞核を抽出する方法であって、
該固定化された細胞を界面活性剤を含有する緩衝液に分散して該細胞の破砕を行う、方法。
【発明の詳細な説明】
【技術分野】
【０００１】
本発明は、Ｋｉ−６７タンパク質陽性細胞核を含む細胞を、Ｋｉ−６７抗体を用いて検出するための前処理方法、該細胞の検出方法、該前処理方法又は検出方法に用いるキット、及び該検出方法を用いた治療レジメン選定に関する。
【背景技術】
【０００２】
外科的に除去された組織のホルマリン固定は、がん組織サンプルを保存するための世界で最も一般的な方法であり、標準的病理技法である。組織が保存される最も一般的な方法は、組織全体を長時間（８時間〜４８時間）ホルマリン水溶液に浸し、次に固定された組織全体を、室温での長期保存のためにパラフィンワックス中に包埋することである。このように、ホルマリン固定がん組織を分析するための分子分析法は、例えば、がん患者組織の分析のために最も多く利用される方法である。【０００３】
ホルマリン固定パラフィン包埋（ＦＦＰＥ）組織を用いた診断技術としての１つである免疫組織染色法は、組織を薄切してスライドガラスに貼り付けた後に、病理切片組織や細胞の表面に存在する生体物質と、当該生体物質を認識する物質との抗原抗体反応を可視化することにより、病理切片組織や細胞の表面における目的生体物質の所在を判定する方法である。【０００４】
例えば、乳がん組織中で発現があるヒト上皮成長因子受容体（ＨＥＲ２）やエストロジェン受容体（ＥＲ）、プロゲステロン受容体（ＰｇＲ）は治療法の効果と間に関連性があるため、効果予測因子と呼ばれており、臨床において応用されている（非特許文献１）。
一方、その因子の有無と予後が相関する因子のことを予後因子という。Ｋｉ−６７は現在予後因子とも考えられている。効果予測因子の検出には、主として腫瘍組織サンプルの免疫組織化学的方法（ＩＨＣ法）が多用されている。腫瘍細胞の染色強度と染色された細胞の比率の両方を加味する方法（Ａｌｌ  ｒｅｄ  Ｓｃｏｒｅ等）や染色強度を評価せず染色された腫瘍細胞の比率のみで判定する方法（Ｊ−Ｓｃｏｒｅ等）のいずれかが用いられる。
ＨＥＲ２の場合、一般にＩＨＣ法で検査し、その結果が０あるいは１＋の場合は陰性、３＋の場合は陽性、２＋の場合はＦＩＳＨ法（Ｆｌｕｏｒｅｓｃｅｎｃｅ  ｉｎ  ｓｉｔｕ  ｈｙｂｒｉｄｉｚａｔｉｏｎ）によって増幅の有無を調べ、増幅があれば陽性、なければ陰性と判定する。
ＥＲの場合、Ａｌｌ  ｒｅｄ  Ｓｃｏｒｅでは３〜８が陽性とされる一方、染色細胞の比率で判定する場合は１０％をカットオフ値とすることが多かったが、１％でも存在する場合は、ＥＲ陽性と判定すべきとの意見もある。
Ｋｉ−６７の場合、組織全体で陽性割合を算出する方法、陽性細胞の集まるホットスポットと呼ばれる領域を選択して算出する方法等が混在している。
いずれにせよ、一定のカットオフ値を設定すれば、これらの効果予測因子が陽性と判断された場合、効果的な治療レジメンの指針となりうる。【０００５】
上記効果予測因子及び予後因子の発現により、乳癌は、様々なサブタイプに分類されている。
１）ルミナルＡ（様）型：ＥＲ・ＰｇＲ陽性、ＨＥＲ２陰性、Ｋｉ−６７低値（＜１４〜２０％）
２）ルミナルＢ（様）型（ＨＥＲ２陰性）：ＥＲ・ＰｇＲ陽性、ＨＥＲ２陰性、Ｋｉ−６７高値（≧１４〜２０％）
３）ルミナルＢ（様）型（ＨＥＲ２陽性）：ＥＲ・ＰｇＲ陽性、ＨＥＲ２陽性
４）非ルミナル型：ＥＲ・ＰｇＲ陰性、ＨＥＲ２陽性
５）トリプルネガティブ型：ＥＲ陰性、ＰｇＲ陰性、ＨＥＲ２陰性
これらの分類は治療レジメンの選定にも影響し、例えばＫｉ−６７低値であるルミナルＡ（様）型と判断された場合、主として内分泌療法単独が選択され、一方Ｋｉ−６７高値であるルミナルＢ（様）型（ＨＥＲ２陰性）と判断された場合は、主として内分泌療法と化学療法の併用が選択される（非特許文献６、１０〜１２）。【０００６】
しかしながら、免疫組織染色法は上記判定を顕微鏡による目視判定で行っており、カウントも手作業で実施しているため、経験のある病理医にとっても時間と労力が必要である。【０００７】
Ｋｉ−６７（ＭＫＩ６７）は核内タンパク質であり、一般的に用いられている細胞増殖マーカーである。増殖性細胞の核小体および核分裂期の染色体上に発現する分子であり、細胞周期のすべてのｐｈａｓｅで発現しており、Ｇ１期後期から発現量に変化が現れ、Ｓ期で発現量の増加が起こり、Ｍ期で最大となる。そのため、Ｋｉ−６７の発現が見られた細胞は、細胞周期に入っていることを表わしているにすぎない。しかしながらＫｉ−６７をバイオマーカーの１つとして用いる癌の診断のための試薬および方法が知られており（特許文献１〜５）、その測定にかかる時間と労力を節約するために細胞を自動的に解析するための細胞画像自動解析装置および自動化組織分析のための方法が知られている（特許文献６〜８）。また、Ｋｉ−６７を初めとする核に局在するタンパク質を免疫染色した細胞の顕微鏡写真画像を、オープンソースのソフトウェアを用いて計測する方法も知られ、ウェブサイトで公表されている（非特許文献２）。このように、画像診断技術の導入も検討されているものの、Ｋｉ−６７の評価方法は標準化されておらず、研究毎にさまざまであり一定していない（非特許文献３）。【０００８】
生体から単離した組織を長期に保存可能な方法であるＦＦＰＥ組織切片から酵素を用いて核を回収し、免疫蛍光染色しＦＣＭで検出することは試されていたが、組織から核を脱離させることのできる酵素はタンパク質の多くの部位を切断するため、抗原認識部位が切断される危険性が高い。非特許文献４によると、例えば、同じＫｉ−６７タンパク質を標的とする抗体において、クローン名：Ｓ５では検出可能であったものの、異なる抗原認識部位をもつクローン名：ＭＩＢ−１では検出が不可能であったことが報告されている。
さらに、ホルマリン固定組織やトロンビン：（血漿）ファイブロネクチン固定組織の場合、ＭＩＢ−１抗体は偽陽性や偽陰性の結果を生じる可能性があった（非特許文献９）【０００９】
しかし、ＭＩＢ−１を用いたＩＨＣ法は長年にわたり臨床現場で使用されているため、経験に基づき選択された抗体のクローンを使用できないことは大きな損失である。【００１０】
ＦＦＰＥ組織切片からタンパク質を抽出する手法も考案されているが、処理後の抗原陽性核の存在を検出するための手法ではない。また、核酸を抽出するキットは実用化されているが、研究用試薬に留まり実用化段階に至ってはいない。
【先行技術文献】
【特許文献】
【００１１】
【特許文献１】特表平１１−５０９９３０号公報
【特許文献２】特表２００３−５０６７１６号公報
【特許文献３】特開２００５−３１５８６２号公報
【特許文献４】特表２００７−５２４１０３号公報
【特許文献５】特表２００９−５２７７４０号公報
【特許文献６】特開２００９−６３５０８号公報
【特許文献７】特開２００９−１２２１１５号公報
【特許文献８】特表２００９−５３７８２２号公報
【００１２】
【非特許文献１】科学的根拠に基づく乳癌治療ガイドライン  １．治療編  (日本乳癌学会)
【非特許文献２】Breast Cancer Research, 2010, 12:R56http://breast-cancer-resea ch.com/content/12/4/R56
【非特許文献３】乳癌学会ガイドライン（日本乳癌学会）http://jbcs.gr.jp/guidline/guideline/g6/g61900/
【非特許文献４】Cytometry. 1997 Mar 1;27(3):283-9.Multi-parameter flow cytometric analysis with detection of the Ki67-Ag in paraffin embedded mammary carcinomas.
【非特許文献５】Dowsett M, et al. Assessment of Ki67 in breast cancer: recommendations from the International Ki67 in Breast Cancer working group. J Natl Cancer Inst. 2011 Nov 16;103(22):1656-64.
【非特許文献６】Angela Toss, et al. Molecular characterization and targeted therapeutic approaches in breast cancer. Breast Cancer Res. 2015 Apr 23;17:60.
【非特許文献７】Leers MP, et al. Multi-parameter flow cytometric analysis with detection of the Ki67-Ag in paraffin embedded mammary carcinomas. Cytometry. 1997 Mar 1;27(3):283-9.
【非特許文献８】Polley MY, et al. An international Ki67 reproducibility study. J Natl Cancer Inst. 2013 Dec 18;105(24):1897-906.
【非特許文献９】Blythe K. Gorman, et al. Comparison of Breast Carcinoma Prognostic/Predictive Biomarkers on Cell Blocks Obtained  by Various Methods: Cellient, Formalin and Thrombin. Acta Cytologica 2012;56:289-296.
【非特許文献１０】科学的根拠に基づく乳癌治療ガイドライン  ２．疫学・診断編  (日本乳癌学会)
【非特許文献１１】A. Goldhirsch1, et al. Personalizing the treatment of women with early breast  cancer: highlights of the St Gallen International Expert Consensus on the Primary Therapy of Early Breast Cancer 2013. Annals of Oncology 24: 2206-2223, 2013.
【非特許文献１２】A. Goldhirsch, et al. Strategies for subtypes-dealing with the diversity of  breast cancer: highlights of the St Gallen International Expert Consensus on the Primary Therapy of Early Breast Cancer 2011. Annals of Oncology 22: 1736-1747, 2011.
【発明の概要】
【発明が解決しようとする課題】
【００１３】
上記のように、免疫組織染色法は顕微鏡による目視判定で行っており、カウントも手作業で実施しているため、同じ病理組織切片を用いても、病理医により、判定が異なることが多い（比較例２参照）。Ｋｉ−６７陽性細胞の存在比（％）（カットオフ値）は治療レジメンの選定に影響するため、より客観性、再現性、普遍性の高いＫｉ−６７陽性細胞存在比の定量方法が求められていた。【００１４】
上記のように、病理組織切片を含む組織試料はがん切除時或いは生検時において、標準的病理技法として作製保存されており、この保存された試料を用いることの出来る定量方法であることが望ましい。
通常、ＦＦＰＥ組織から単一の細胞レベルで解析を行う場合、細胞間の接着を担う細胞外基質を切断して抗原を賦活化する必要がある。しかしながら、これらの酵素を用いた消化は、標的とする抗原の認識部位を切断する可能性があり、使用可能な抗体を制限する。そのため、上記の既存方法以外で細胞分散や、細胞核を脱離する方法が必要となる。
【課題を解決するための手段】
【００１５】
本願発明者らは鋭意研究の結果、細胞分散や細胞核の脱離に向かないとされる酵素による前処理法を検討し、ＭＩＢ−１のエピトープを認識しない酵素（レアカッター酵素）で組織又は細胞試料を前処理したところ、サイトケラチンを含む他の抗原の抗原性も増強しつつ、Ｋｉ−６７抗原の賦活化に成功した。その結果、ＦＦＰＥ切片から抗原性を増強させたまま細胞核を脱離させ、その核に存在するＫｉ−６７タンパク質を標的とし、これに特異的な抗体を反応させることで、より客観性、再現性、普遍性の高いＫｉ−６７陽性細胞の検出方法を完成させた。【００１６】
従って、本発明は以下の［１］から［４５］の通りである。
［１］  固定化された細胞群中のＫｉ−６７陽性細胞核を含む細胞を、抗Ｋｉ−６７抗体を用いて検出する方法であって、
１）固定化された細胞群を配列番号２のペプチドを認識切断しない加水分解酵素で前処理して抗原を賦活化する工程、その後
２）抗Ｋｉ−６７抗体を用いて染色する工程、及び
３）染色されたＫｉ−６７陽性細胞又はＫｉ−６７陽性細胞核を検出する工程を含む方法；
［２］  前記抗体が、ＭＩＢ−１、ＤＡＫＯ−ＰＣ、Ｋｉ−Ｓ５及びＡ−００４７からなる群から選択される少なくとも一種である［１］に記載の方法；
［３］  前記酵素が、トロンビン、Ａｒｇ−Ｃ（クロストリパイン）ペプチターゼ、プロリンエンドペプチターゼ及びヒアルロニダーゼからなる群から選択される少なくとも一種である［１］又は［２］に記載の方法；
［４］  前記酵素が、トロンビン及び／又はヒアルロニダーゼであり、前記抗体が、ＭＩＢ−１である［１］に記載の方法；
［５］  前記固定化された細胞群が、ホルマリン、グルタルアルデヒド、アルコール、アセトン及びそれらの組み合わせからなる群から選択される固定化剤で固定されている、［１］〜［４］のいずれか一項に記載の方法；
［６］  工程１）の前に熱処理により賦活化することを含む、［１］〜［５］のいずれか一項に記載の方法；【００１７】
［７］  さらに細胞核を特異的に染色し、染色された細胞核を検出（例えば、カウント）することを含む、［１］〜［６］のいずれか一項に記載の方法；
［８］  さらに、抗サイトケラチン抗体を用いてサイトケラチンを染色（例えば、蛍光染色）し、染色された陽性細胞を検出することを含む、［１］〜［７］のいずれか一項に記載の方法；
［９］  さらに抗エストロジェン受容体（ＥＲ）抗体及び／又は抗プロゲステロン受容体（ＰｇＲ）抗体を用いてＥＲ及び／又はＰｇＲを染色（例えば、蛍光染色）し、染色された陽性細胞又は陽性細胞核を検出（例えば、カウント）することを含む、［１］〜［８］のいずれか一項に記載の方法；
［１０］  さらにＨＥＲ２遺伝子にハイブリダイズするプローブを用いて、ＨＥＲ２遺伝子が増幅されている細胞又は細胞核を検出することを含む、［１］〜［９］のいずれか一項に記載の方法。
［１１］  前記固定化された細胞群が組織切片に含まれている、［１］〜［１０］のいずれか一項に記載の方法；
［１２］  前記組織切片が、包理剤で包理されており、
前記加水分解酵素で抗原を賦活化する工程の前に該包理剤を除去し、該組織切片を親水化する工程を含む、［１１］に記載の方法；【００１８】
［１３］  工程１）と工程２）の間に、前記細胞を破砕して細胞核を抽出する工程を含む、［１１］又は［１２］に記載の方法；
［１４］  水流、超音波などで生じるせん断応力により前記細胞を破砕して、細胞核を抽出する、［１３］に記載の方法；
［１５］  界面活性剤を含む緩衝液中で、前記細胞核を抽出する［１３］又は［１４］に記載の方法；
［１６］  前記界面活性剤が、ＣＨＡＰＳ、ＮＰ−４０、およびＴｒｉｔｏｎ−Ｘ１００から選択される少なくとも一種である、［１５］に記載の方法；
［１７］  前記染色されたＫｉ−６７陽性細胞又はＫｉ−６７陽性細胞核の数をカウントする、［１］〜［１６］のいずれか一項に記載の方法；
［１８］前記Ｋｉ−６７陽性細胞又は前記Ｋｉ−６７陽性細胞核を、蛍光染色し、フローサイトメトリーを用いてカウントする、［１７］に記載の方法；
［１９］  前記固定化された細胞又は前記組織切片が患者由来である、［１］〜［１８］のいずれか一項に記載の方法；
［２０］  前記固定化された細胞又は前記組織切片が患者の腫瘍組織由来である、［１］〜［１８］のいずれか一項に記載の方法；
［２１］  前記固定化された細胞又は前記腫瘍組織が、乳癌細胞又は乳癌組織である、［２０］に記載の方法；
［２２］  がんの診断を補助するための、［２０］又は［２１］に記載の方法；
［２３］  がん治療の予後を診断するのを補助するための、［２０］又は［２１］に記載の方法；【００１９】
［２４］  癌の治療レジメンを決定するための方法であって、［２０］又は［２１］に記載の方法により、細胞群内のＫｉ−６７陽性細胞の割合を算定し、割合がカットオフ値以上の場合は内分泌療法と化学療法の併用を選択し、割合がカットオフ値未満の場合は、内分泌療法単独を選択する方法；
［２５］  ［２０］又は［２１］に記載の方法により、細胞群内のＫｉ−６７陽性細胞の割合を算定し、割合がカットオフ値以上の場合は内分泌療法と化学療法の併用を選択し、割合がカットオフ値未満の場合は、内分泌療法単独を選択して、患者に施し、癌を治療する方法。【００２０】
［２６］  固定化された腫瘍細胞群又は腫瘍組織を配列番号２のペプチドを認識切断しない加水分解酵素で前処理してＫｉ−６７を賦活化する方法；
［２７］  配列番号２のペプチドを認識切断しない加水分解酵素を含む、Ｋｉ−６７を免疫染色で検出する細胞又は組織試料に用いられる抗原賦活化剤；
［２８］  前記酵素が、トロンビン、Ａｒｇ−Ｃ（クロストリパイン）ペプチターゼ、プロリンエンドペプチターゼ及びヒアルロニダーゼからなる群から選択される少なくとも一種である、［２７］に記載の抗原賦活化剤；
［２９］  前記酵素がトロンビン及び/又はヒアルロニダーゼである、［２８］に記載の抗原賦活化剤。【００２１】
［３０］  配列番号２のペプチドを認識切断しない加水分解酵素を含む、Ｋｉ−６７及びサイトケラチンを免疫染色で同時検出する細胞又は組織試料に用いられる抗原賦活化剤；
［３１］  更に、ＥＲ及び／又はＰｇＲを免疫染色して検出する細胞又は組織試料に用いられる［２７］〜［３０］のいずれか一項に記載の抗原賦活化剤；
［３２］  更に、ＨＥＲ２遺伝子を増幅している細胞を検出する試料に用いられる［２７］〜［３１］のいずれか一項に記載の抗原賦活化剤；【００２２】
［３３］  固定化された細胞中のＫｉ−６７陽性細胞を検出するためのキットであって、
配列番号２のペプチドを認識切断しない加水分解酵素と、
抗Ｋｉ−６７抗体と
を含む、キット；
［３４］  前記加水分解酵素は、トロンビン、Ａｒｇ−Ｃ（クロストリパイン）ペプチターゼ、プロリンエンドペプチターゼ及びヒアルロニダーゼからなる群から選択される少なくとも一種である、［３２］に記載のキット；
［３５］  前記加水分解酵素は、トロンビン及び／又はヒアルロニダーゼである、［３４］に記載のキット；
［３６］  前記抗Ｋｉ−６７抗体は、ＭＩＢ−１、ＤＡＫＯ−ＰＣ、Ｋｉ−Ｓ５及びＡ−００４７からなる群から選択される少なくとも一種である、［３３］〜［３５］のいずれか一項に記載のキット；
［３７］  更に、Ｋｉ−６７と組み合わせて、がんの診断を補助するため、又はがんの治療の予後を診断するのを補助するために用いられる他のマーカーを検出するためのリガンドを含む、［３３］〜［３６］のいずれか一項に記載のキット；
［３８］  前記リガンドは、抗サイトケラチン抗体、抗ＥＲ抗体、抗ＰｇＲ抗体、及びＨＥＲ２遺伝子にハイブリダイズするプローブからなる群から選択される少なくとも一種である、［３７］に記載のキット；
［３９］  更に、核染色用の化合物を含む、［３３］〜［３８］のいずれか一項に記載のキット；
［４０］  更に、細胞を分散させるための緩衝液を含み、該緩衝液は、界面活性剤を含有する、［３３］〜［３９］のいずれか一項に記載のキット；
［４１］  更に、熱処理抗原賦活化剤を含む、［３３］〜［４０］のいずれか一項に記載のキット；
［４２］  がんの診断を補助するための、［３３］〜［４１］のいずれか一項に記載のキット。
［４３］  がん治療の予後を診断するのを補助するための、［３３］〜［４１］のいずれか一項に記載のキット；
［４４］  癌の治療レジメンを決定するための、［３３］〜［４１］のいずれか一項に記載のキット；
［４５］  前記治療レジメンの決定は、細胞群内のＫｉ−６７陽性細胞の割合を算定し、割合がカットオフ値以上の場合は内分泌療法と化学療法の併用を選択し、割合がカットオフ値未満の場合は、内分泌療法単独を選択することによって行なわれる、キット；【００２３】
［４６］  水流、超音波などで生じるせん断応力により固定化された細胞を破砕して、細胞核を抽出するためのキットであって、
界面活性剤を含有する細胞分散用緩衝液を含む、キット； 
［４７］  水流、超音波などで生じるせん断応力により固定化された細胞を破砕して、細胞核を抽出する方法であって、
該固定化された細胞を界面活性剤を含有する緩衝液に分散して該細胞の破砕を行う、方法；及び
［４８］  固定化された細胞群中の目的の抗原が細胞核に存在する細胞を、該抗原の抗体を用いて検出する方法であって、
１）該固定化された細胞群を、該抗体の抗原認識部位を切断しない加水分解酵素で前処理して抗原を賦活化する工程、その後
２）該抗体を用いて該細胞を染色する工程、及び
３）染色された抗原陽性細胞又は抗原陽性細胞核を検出する工程を含む方法。
【発明の効果】
【００２４】
本願発明により、客観性、再現性、普遍性の高いＫｉ−６７陽性細胞の検出（定量）方法が確立される。
本発明より提供されるプロトコール（前処理試薬とプロセス）を用いることで、ＦＦＰＥ組織切片から標的抗原の抗原性を増強した細胞核の脱離を達成する。回収した分散細胞核は、単一の細胞核として解析することが可能である。例えば、核膜上や核内のタンパク質、核酸等が検出対象となり、色素（蛍光物質、化学発行物質、酵素など）による染色や、これらの色素により修飾された抗体を用いて検出することができる。特に、フローサイトメトリー解析により脱離核中の対象タンパク質の陽性核の割合（Ｋｉ−６７陽性率等）を迅速に算出することが可能である。
Ｋｉ−６７のカットオフ値は、病理医による、目視判定とカウントの工程を必要としていたため、ばらつきがあり、従来施設ごとに異なっていた。しかしながら本発明より提供されるプロトコール（前処理試薬とプロセス）を用いることで、ばらつきの少ない病理診断のカットオフ値の世界基準を提供することが可能である。
そして、かかるカットオフ値を用いて、患者にＱＯＬの高い診断レジメンを提供することが可能である。
【図面の簡単な説明】
【００２５】
【図１】乳癌組織のＦＦＰＥ組織切片に脱パラフィン／／親水化、熱処理による抗原賦活化を施し、水流せん断装置を用いて細胞を破砕した後、回収産物に免疫蛍光染色を行い顕微鏡観察した鏡検画像。左は、ＤＡＰＩ染色された核を示し、右は、ＤＡＰＩ染色された核と蛍光標識されたサイトケラチン（存在する場合には）を示し、両者から細胞核がその形状を維持して回収されたことが理解される。
【図２】ホルマリン固定した各腫瘍細胞株（ＭＢ２３１、Ｔ４７Ｄ、ＳＫＢＲ）に熱処理による抗原賦活化を施し、免疫蛍光染色を行った後、フローサイトメーターで分析し、得られたデータを解析して、前方散乱を横軸、側方散乱を縦軸として示したスキャッタグラム。
【図３】図２の枠で囲んだ領域を細胞核の領域としてゲーティングし、ゲーティング画分のデータについて、ＤＡＰＩの蛍光強度を横軸、細胞（核）数を縦軸として示したヒストグラム。
【図４】ホルマリン固定した乳癌細胞に熱処理による抗原賦活化を施し、抗サイトケラチン抗体及び抗Ｋｉ−６７抗体或いはそれらのアイソタイプコントロール抗体で免疫蛍光染色を行った後、フローサイトメーターで分析し、細胞核領域として選択されたゲーティング画分のデータについて、蛍光強度を横軸、細胞（核）数を縦軸として示したヒストグラム。
【図５】ホルマリン固定した各腫瘍細胞株（ＭＢ２３１、Ｔ４７Ｄ、ＳＫＢＲ）に熱処理による抗原賦活化を施し、その後トロンビンによる抗原賦活化をし又はせずに、抗Ｋｉ−６７抗体或いはそのアイソタイプコントロール抗体で免疫蛍光染色を行った後、フローサイトメーターで分析し、細胞核領域として選択されたゲーティング画分のデータについて、蛍光強度を横軸、細胞（核）数を縦軸として示したヒストグラム。
【図６】トロンビン処理の有無による各腫瘍細胞株中のＫｉ−６７陽性率の変化を示すグラフ。
【図７】ホルマリン固定したＴ４７Ｄ細胞株に熱処理による抗原賦活化を施し、その後ヒアルロニダーゼ試薬にて処理し、又は当該処理をせずに、抗Ｋｉ−６７抗体或いはそのアイソタイプコントロール抗体で免疫蛍光染色を行った後、フローサイトメーターで分析し、細胞核領域として選択されたゲーティング画分のデータについて、蛍光強度を横軸、細胞（核）数を縦軸として示したヒストグラム。
【図８】乳癌組織のＦＦＰＥ組織切片に脱パラフィン／親水化、熱処理による抗原賦活化を施し、水流による細胞の破砕をした後、抗サイトケラチン抗体及び抗Ｋｉ−６７抗体或いはそれらのアイソタイプコントロール抗体で免疫蛍光染色し、次いでフローサイトメーターで分析し、細胞核領域として選択されたゲーティング画分のデータについて、蛍光強度を横軸、細胞（核）数を縦軸として示したヒストグラム。
【図９Ａ】乳癌組織のＦＦＰＥ組織切片に脱パラフィン／親水化、熱処理による抗原賦活化を施し、トロンビンによる抗原賦活化をし又はせずに、水流により細胞を破砕をした後、抗サイトケラチン抗体及び抗Ｋｉ−６７抗体或いはそれらのアイソタイプコントロール抗体で免疫蛍光染色し、次いでフローサイトメーターで分析し、細胞核領域として選択されたゲーティング画分のデータについて、蛍光強度を横軸、細胞（核）数を縦軸として示したヒストグラム。これにより、トロンビン処理によるＦＦＰＥ組織切片検体中のサイトケラチン及びＫｉ−６７シグナルの増強が確認される。
【図９Ｂ】トロンビン処理の有無によるＦＦＰＥ組織切片中のサイトケラチン及びＫｉ−６７の陽性率の変化を示すグラフ。
【図１０】薄切切片の厚さによるサイトケラチン及びＫｉ−６７陽性率の変化を示すグラフ。
【図１１】本願発明に係る方法によるＫｉ−６７陽性率とＩＨＣ法による陽性率（平均値）の相関図。
【図１２Ａ】ホルマリン固定した各腫瘍細胞株（ＭＢ２３１、Ｔ４７Ｄ、ＳＫＢＲ）に熱処理による抗原賦活化を施した後、５種の消化酵素（トロンビン、トリプシン、プロテイナーゼＫ、ディスパーゼ、プロリンエンドペプチダーゼ）の何れかで抗原賦活化し、抗Ｋｉ−６７抗体又はそのアイソタイプコントロール抗体で免疫蛍光染色し、次いでフローサイトメーターで分析し、細胞核領域として選択されたゲーティング画分のデータについて、蛍光強度を横軸、細胞（核）数を縦軸として示したヒストグラム。
【図１２Ｂ】ホルマリン固定した各腫瘍細胞株（ＭＢ２３１、Ｔ４７Ｄ、ＳＫＢＲ）に熱処理による抗原賦活化を施した後、５種の消化酵素（トロンビン、トリプシン、プロテイナーゼＫ、ディスパーゼ、プロリンエンドペプチダーゼ）の何れかで抗原賦活化し、抗サイトケラチン抗体又はそのアイソタイプコントロール抗体で免疫蛍光染色し、次いでフローサイトメーターで分析し、細胞核領域として選択されたゲーティング画分のデータについて、蛍光強度を横軸、細胞（核）数を縦軸として示したヒストグラム。
【図１３Ａ】乳癌組織のＦＦＰＥ組織切片に脱パラフィン／親水化、熱処理による抗原賦活化を施し、５種の消化酵素（トロンビン、トリプシン、プロテイナーゼＫ、ディスパーゼ、プロリンエンドペプチダーゼ）の何れかで抗原賦活化し、更に水流で細胞を破砕した後、抗Ｋｉ−６７抗体又はそのアイソタイプコントロール抗体で免疫蛍光染色し、次いでフローサイトメーターで分析し、細胞核領域として選択されたゲーティング画分のデータについて、蛍光強度を横軸、細胞（核）数を縦軸として示したヒストグラム。
【図１３Ｂ】乳癌組織のＦＦＰＥ組織切片に脱パラフィン／親水化、熱処理による抗原賦活化を施し、５種の消化酵素（トロンビン、トリプシン、プロテイナーゼＫ、ディスパーゼ、プロリンエンドペプチダーゼ）の何れかで抗原賦活化し、更に水流で細胞を破砕した後、抗サイトケラチン抗体又はそのアイソタイプコントロール抗体で免疫蛍光染色し、次いでフローサイトメーターで分析し、細胞核領域として選択されたゲーティング画分のデータについて、蛍光強度を横軸、細胞（核）数を縦軸として示したヒストグラム。
【図１４】乳癌組織のＦＦＰＥ組織切片に脱パラフィン／親水化、熱処理による抗原賦活化を施し、トロンビンで抗原賦活化し、更に水流により細胞を破砕した後、認識部位の異なる２つの抗Ｋｉ−６７抗体（ＭＩＢ−１クローン及びＳ５クローン）の何れか及び抗サイトケラチン抗体或いはそれらのアイソタイプコントロール抗体で免疫蛍光染色し、次いでフローサイトメーターで分析し、細胞核領域として選択されたゲーティング画分のデータについて、蛍光強度を横軸、細胞（核）数を縦軸として示したヒストグラム。
【図１５】公知の方法に従って、乳癌組織のＦＦＰＥ組織切片を脱パラフィン／親水化を施した後トリプシンで抗原賦活化し、認識部位の異なる２つの抗Ｋｉ−６７抗体（ＭＩＢ−１クローン及びＳ５クローン）の何れか及び抗サイトケラチン抗体或いはそれらのアイソタイプコントロール抗体で免疫蛍光染色し、次いでフローサイトメーターで分析し、細胞核領域として選択されたゲーティング画分のデータについて、蛍光強度を横軸、細胞（核）数を縦軸として示したヒストグラム。
【図１６】ＥＲ及びＰｇＲ陽性または陰性が既知となっているＦＦＰＥ組織切片を脱パラフィン／親水化、熱処理による抗原賦活化を施し、その後トロンビンで抗原賦活化し、更に水流により細胞を破砕した後、抗ＥＲ抗体及び抗ＰｇＲ抗体或いはそれらのアイソタイプコントロール抗体で免疫蛍光染色し、次いでフローサイトメーターで分析し、細胞核領域として選択されたゲーティング画分のデータについて、蛍光強度を横軸、細胞（核）数を縦軸として示したヒストグラム。
【図１７】ホルマリンで固定化した乳癌細胞株ＭＤＡ−ＭＢ−２３１に、異なる熱処理抗原賦活化剤を用いて抗原賦活化を施し、その後トロンビンで抗原賦活化し、抗Ｋｉ−６７抗体及び抗サイトケラチン抗体或いはそれらのアイソタイプコントロール抗体で免疫蛍光染色し、細胞核領域として選択されたゲーティング画分のデータについて、蛍光強度を横軸、細胞（核）数を縦軸として示したヒストグラム。
【図１８】乳癌組織のＦＦＰＥ組織切片に脱パラフィン／親水化、熱処理による抗原賦活化を施し、トロンビンで抗原賦活化し、４種の異なる破砕方法（マッシャー、乳鉢、超音波破壊、水流破壊と超音波破壊の組み合わせ）の何れかを適用した後、抗サイトケラチン抗体及び抗Ｋｉ−６７抗体或いはそれらのアイソタイプコントロール抗体で免疫蛍光染色し、次いでフローサイトメーターで分析し、細胞核領域として選択されたゲーティング画分のデータについて、蛍光強度を横軸、細胞（核）数を縦軸として示したヒストグラム。
【図１９】ホルマリン固定化した２種の乳癌細胞株ＳＫＢｒ３及びＭＤＡ−ＭＢ−２３１、並びにリンパ芽球性細胞株Ｊｕｒｋａｔに、熱処理による抗原賦活化処理を施し、トロンビンで抗原賦活化し、超音波により細胞を破砕した後、細胞核を染色し、次いでフローサイトメーターで分析し、得られたデータを解析して、前方散乱を横軸、側方散乱を縦軸として示したスキャッタグラム。
【図２０】乳癌組織のＦＦＰＥ組織切片に所定の前処理を施し、トロンビン処理し、更に水流により細胞を破砕し、各種界面活性剤を含む緩衝液中に細胞を分散させて超音波により細胞を破砕した後、細胞核を染色し、次いでフローサイトメーターで分析し、得られたデータを解析して、前方散乱を横軸、側方散乱を縦軸として示したスキャッタグラム。
【図２１】異なる病理医よって算出されたＩＨＣ法による乳癌組織のＦＦＰＥ組織切片中のＫｉ−６７陽性率の相関図。
【図２２Ａ】ホルマリン固定した各腫瘍細胞株（ＭＢ２３１、Ｔ４７Ｄ、ＳＫＢＲ）熱処理による抗原賦活化を施し、３種の消化酵素（トロンビン、プロテイナーゼＫ、ディスパーゼ）の何れかで抗原賦活化した後、抗Ｋｉ−６７抗体Ｓ５クローン（Ｋｉ−Ｓ５）又はそのアイソタイプコントロール抗体で免疫蛍光染色し、フローサイトメーターで分析し、細胞核領域として選択されたゲーティング画分のデータについて、蛍光強度を横軸、細胞（核）数を縦軸として示したヒストグラム。
【図２２Ｂ】ホルマリン固定した各腫瘍細胞株（ＭＢ２３１、Ｔ４７Ｄ、ＳＫＢＲ）に熱処理による抗原賦活化を施し、３種の消化酵素（トロンビン、プロテイナーゼＫ、ディスパーゼ）の何れかで抗原賦活化した後、抗サイトケラチン抗体又はそのアイソタイプコントロール抗体で免疫蛍光染色し、フローサイトメーターで分析し、細胞核領域として選択されたゲーティング画分のデータについて、蛍光強度を横軸、細胞（核）数を縦軸として示したヒストグラム。
【図２３】乳癌組織のＦＦＰＥ組織切片に脱パラフィン／親水化、熱処理による抗原賦活化を施し、トロンビンで抗原賦活化し、水流により細胞の破砕をし、更に超音波による細胞の破砕を行った後、抗サイトケラチン抗体及び抗Ｋｉ−６７抗体或いはそれらのアイソタイプコントロール抗体で免疫蛍光染色し、次いでフローサイトメーターで分析し、細胞核領域として選択されたゲーティング画分のデータについて、蛍光強度を横軸、細胞（核）数を縦軸として示したヒストグラム。この図には、陽性核判定の閾値を変動させた場合の陽性率を示してある。
【図２４】ＨＥＲ２陽性及び陰性が既知のＦＦＰＥ組織切片に、脱パラフィン／親水化、熱処理による抗原賦活化を施した後、トロンビンで抗原賦活化し、水流による細胞の破砕をし、更に超音波による細胞の破砕を行った後、蛍光標識されたＤＮＡプローブを用いてＨＥＲ２遺伝子をＦＩＳＨ法により蛍光染色し、蛍光顕微鏡で観察した際の画像。
【００２６】
「細胞の固定化」とは、試料を固定液に漬けて分子架橋やタンパク質不溶化による細胞の形態や組織の構造を安定化させることを指す。固定化には公知の方法を用いればよく、例えば、ホルマリン液、パラホルムアルデヒド液、グルタルアルデヒド液、四酸化オスミウム液、酢酸アルコール、メタノール、エタノール、アセトンなどを用いる方法がある。あるいは、凍結法により固定化してもよい。【００２７】
「Ｋｉ−６７抗原（ＭＫＩ６７：Ｍａｒｋｅｒ Ｏｆ Ｐｒｏｌｉｆｅｒａｔｉｏｎ Ｋｉ−６７）」は、核内タンパク質の一種であり、ヒトの場合、配列番号１のアミノ酸配列（３２５６アミノ酸）で表される（ＵｎｉＰｒｏｔＫＢ − Ｐ４６０１３ （ＫＩ６７＿ＨＵＭＡＮ））。Ｋｉ−６７は元々白血病患者の血液中の自己抗体として発見された抗体の名称であるが、本願において、特に指定がない場合は「Ｋｉ−６７」は「Ｋｉ−６７抗原」タンパク質を指す。従って、「抗Ｋｉ−６７抗体」とは、Ｋｉ−６７抗原を認識する「抗体」を指す。
「抗体」は、完全長（ＩｇＧ、ＩｇＡ、ＩｇＭ、ＩｇＤ、ＩｇＥ）イムノグロブリンであってもよく、その抗原結合認識領域を含む断片（いわゆる断片抗体（Ｆａｂ、Ｆａｂ’、Ｆ（ａｂ’）２など））であってもよい。また「抗体」は、ヒト、マウス、ラット、ヤギ、ウマ、ラクダなど哺乳動物のほか、魚類（サメを含む）や鳥類（ニワトリ）に由来するものであってよい。
「ＭＩＢ−１」又は「ＭＩＢ−１抗体」は、Ｋｉ−６７抗体をモノクローナル化したクローンの１つである。特に限定しないが、Ｄａｋｏ社やＩｍｍｕｎｏｔｅｃｈ社から購入可能である。Ｋｉ−６７中、PKEKAQALEDLAGFKELFQT（配列番号２）からなるエピトープを認識して結合する。
「抗Ｋｉ−６７抗体」とは、Ｋｉ−６７を認識し、これに結合する抗体を指し、ＭＩＢ−１の他、ＭＩＢ−２、ＭＩＢ−５、ＭＩＢ−７、ＭＩＢ−２１およびＭＩＢ−２４などのＭＩＢ（登録商標）ファミリーに属する抗体、ＤＡＫＯ−ＰＣ、Ｋｉ−Ｓ５、Ａ００４７なども「抗Ｋｉ−６７抗体」として用いることができ、それ以外の市販或いは臨床検査上使用されている同じ特性の抗体も「抗Ｋｉ−６７抗体」として用いることができる。抗Ｋｉ−６７抗体は、Ｋｉ−６７抗原またはその一部を抗原として用い、公知の方法によって調製することができる。本発明で用いられる「抗Ｋｉ−６７抗体」は、上記エピトープを認識する抗体を含むことが好ましい。【００２８】
「トロンビン（Ｔｈｒｏｍｂｉｎ、第ＩＩａ因子）」は、血液の凝固に関わる酵素（セリンプロテアーゼ）である（ＥＣ番号：ＥＣ３．４．２１．５）。【００２９】
「配列番号２のペプチドを認識切断しない加水分解酵素」とは、ＭＩＢ−１抗体のエピトープを認識切断しない加水分解酵素を指す。
これに限定しないが、公知のデータベースにより（http://web.expasy.org/peptide_cutter/）、このような特性を有する蛋白分解酵素を知る事ができる（表１）。また、ある酵素がこのような特性を有するかは、ＭＩＢ−１、又は同じエピトープを認識する他の抗体を用いて当該酵素が当該エピトープを切断するかを分析して確認することができる。
抗体が細胞内に浸潤するため或いは／及び細胞核の抽出のため、かかる酵素は細胞外マトリックスである、コラーゲンを認識切断できることが好ましい。これに限定しないが、トロンビン、Ａｒｇ−Ｃ（クロストリパイン）ペプチターゼ（ＥＣ ３．４．２２．８）、プロリンエンドペプチターゼ（ＥＣ ３．４．２１．２６）などが挙げられる。
【表１】
2019168085.tif 000003
本発明の目的には、ヒアルロニダーゼなどの蛋白以外の細胞外基質中の成分を加水分解する酵素も好ましい。ヒアルロニダーゼ（ＥＣ  ３．２．１．３５）は、ヒアルロン酸のβ‐１‐４結合を分解する加水分解酵素であり、配列番号２のペプチドを切断しない。ヒアルロニダーゼのこの特性により、抗体の細胞内への浸潤が促進される。このような酵素としてヒアルロニダーゼ、グリコシダーゼ（ＥＣ  ３．２．１）、Ｎ−グリカナーゼ（ＥＣ  ３．５．１．５２）等を挙げることができ、ヒアルロニダーゼが好ましい。
また、上述した配列番号２のペプチドを認識切断しない蛋白酵素は、配列番号２のペプチドを切断し無い点でヒアルロニダーゼと共通する一方、両者は、全く異なる作用の酵素であるため、両者を組み合わせることで抗原不活化活性がより高まることが期待される。特に、トロンビンとヒアルロニダーゼの組み合わせは好ましい。【００３０】
「酵素による抗原賦活化」は、酵素処理により抗原若しくは細胞外基質を切断し、抗体の反応性を増幅する過程であり、ｐＨ調整した緩衝液に酵素を溶解した試薬に、サンプルを浸漬させることで行うことができる。酵素反応に適した温度で加温し、所定時間経過後反応を停止させる。反応停止には、試薬の除去、温度変化、キレーター添加等を用いる。【００３１】
「抗体を用いて染色する」は、各抗体に直接、蛍光化合物、酵素、化学発光物質などの標識を結合させ（直接法）、その標識抗体を抗原に結合させることによって行ってもよいし、抗原に結合する抗体を非標識の一次抗体として、この一次抗体にそれぞれ特異的で且つ上記標識を結合させた二次抗体を結合させることにより間接的に標識付けして（間接法）、行ってもよい。【００３２】
「蛍光化合物」は、特に限定しないが、Ｃｙ３等のシアニン系色素、フルオレセインイソチアシネート（ＦＩＴＣ）、アロフィコシアニン、ローダミンなどの蛍光物質が挙げられる。発光する蛍光波長の異なる蛍光色素で各抗体（あるいはその二次抗体）を標識することが好ましい（例えばＡｌｅｘａ Ｆｌｕｏｒ（登録商標）シリーズの蛍光物質）。
「標識酵素」は、特に限定しないが、アルカリフォスファターゼ、ホースラディッシュペルオキシダーゼが挙げられる。
「化学発光物質」は、特に限定しないが、ルミノール、ＡＭＰＰＤ（登録商標）、ＣＳＰＤ（登録商標）、ＣＤＰ−Ｓｔａｒ（登録商標）が挙げられる。【００３３】
一態様において、組織切片中の細胞群中において、Ｋｉ−６７以外にも複数の検出／定量する抗原がある場合、
１）同一（ＦＦＰＥ）組織切片に対し、異なる蛍光波長の蛍光色素などの他のリガンドとの識別が可能になる標識で各リガンド（例えば、抗サイトケラチン抗体、抗ＥＲ抗体、抗ＰｇＲ抗体、ＨＥＲ２遺伝子にハイブリダイズする核酸、あるいはそれらに結合する二次抗体又は核酸）を標識し、検出／定量してもよいし、或いは
２）同一組織ブロックから均質と仮定される複数の（ＦＦＰＥ）組織切片を作製し、各標的物質について染色（例えば、免疫蛍光染色、ＦＩＳＨ）を行い検出／定量してもよい。【００３４】
「細胞核を特異的に染色」するとは、固定化された細胞内の細胞核を特異的に染色する化合物で標識することを指し、これに限定しないが、細胞非透過性の核酸染色用の化合物が好ましく、例えば、ＤＡＰＩやヨウ化プロピジウム（ＰＩ）等の蛍光色素が挙げられる。【００３５】
蛍光染色された細胞又は細胞核はサイトメトリー（Ｃｙｔｏｍｅｔｒｙ）により、カウントすることが出来る。サイトメトリーとは、短時間（数秒から数分）に多量（数千個から数百万個）の細胞を1個ずつ定量測定する細胞測定法である。サイトメトリーには、懸濁させた細胞を、シース流を用いて、1個ずつセンシングゾーンに細胞を導き、高速で散乱光と蛍光などを測定するフローサイトメトリー（Ｆｌｏｗ Ｃｙｔｏｍｅｔｒｙ）と、マルチウェルプレートやスライドグラス上の付着した細胞集団などを、レーザー走査して蛍光イメージ、散乱光、透過光イメージなどを取得し、細胞画像処理にて、1個の細胞ごとの情報を抽出するイメージングサイトメトリー（Ｉｍａｇｉｎｇ Ｃｙｔｏｍｅｔｒｙ）がある。【００３６】
「細胞核を抽出する工程」とは、固定された細胞（組織）から細胞核をその構造を維持したまま抽出することを指す。細胞にせん断応力を発生させて細胞を破砕する手段を用いて行うことができ、これらに限定しないが、例えば、水流破砕、マッシャー、乳鉢、超音波破砕、メッシュ、フレンチプレス、ホモジナイザー処理、ガラスビーズ処理等、公知の方法を用いて行うことが出来る。【００３７】
好ましくは、本発明は、ＦＦＰＥ組織から抗原性を消失させることなく、且つ使用抗体や検出方法を制限せずに、細胞核を脱離させ、さらには染色シグナルを増強させる方法であり、以下のステップを含む：
１）  薄切ＦＦＰＥ切片の脱パラフィン／親水化
２）  熱処理による抗原賦活化
３）  酵素による抗原の賦活化
４）  組織及び細胞を破砕して細胞核を抽出【００３８】
本発明において、用いるＦＦＰＥ組織切片の薄切は、前処理工程を効率化するために薄切時の組織の厚さとしては、６０μｍ以下であれば所望のマーカーの検出が可能であり、２０μｍを推奨するがこの限りではない。検体の大きさ、その後の検討に必要とする脱離させた細胞核数に応じて薄切枚数は複数枚に増量することが可能である。【００３９】
「包埋」とは、組織片（塊）を一定で均等な硬度にし、組織内の中腔部を埋め、薄切時に剥離しない強度を持たせ、保存性を増すために、組織片（塊）に「包埋剤」を浸透させることという。「包埋剤」としては、特に限定しないが、パラフィン、パラフィン誘導体、セロイジン、カーボワックス、アガロース、非ヘパリン処理血清、コラーゲン、セルロース誘導体、キチン誘導体、キトサン誘導体、これらの混合物等が挙げられる。【００４０】
本発明における「脱包埋／親水化」とは、包埋に使用している包埋剤（例えばパラフィン）の除去、及び除去に用いた有機溶媒の水系溶媒への置換を指す。キシレンに代表される有機溶媒に切片を浸すことにより、包埋剤の除去を行い、その後有機溶媒を置換するために濃度勾配をつけた複数濃度のエタノール溶液を切片に、高濃度から低濃度に順次浸潤させる。エタノール濃度勾配は１００％、９５％、９０％、７０％、５０％等が挙げられるがこれに限らない。【００４１】
本発明における「熱処理による抗原賦活化」とは、固定時の架橋形成により抗原認識部位がマスクされている場合にこれを熱処理により除去する工程である。熱処理の際に、クエン酸緩衝液、界面活性剤、キレート剤、還元剤などを含む熱処理抗原賦活化剤を用いて行う。特に限定しないが、熱処理抗原賦活化剤として、市販されているＨｉｓｔｏ ＶＴ Ｏｎｅ（ナカライテスク）、抗原賦活化液ｐＨ９（ニチレイバイオサイエンス）、イムノセイバー（日新ＥＭ）等を用いることが可能である。【００４２】
「水流による破砕」とは、水流によるせん断力で細胞及び組織を破砕することを意味し、例えばＳｙｓｍｅｘ社の水流せん断装置（ＲＰ−１０）等を用い、氷冷下、例えばブレードを１分間当たり１０，０００rpm回転させることによって発生する水流により細胞及び組織を破砕することができる。【００４３】
「超音波による破砕」は、超音波によるせん断力で細胞及び組織を破砕することを意味し、例えばＳＯＮＩＣＳ＆ＭＡＴＥＲＩＡＬＳ社の超音波破砕装置（ＶＣＸ１３０ＰＢ）を用い出力強度２０％で３０秒間超音波に細胞及び組織を曝しこれらを破砕することができる。
超音波による破砕工程は、他の血液細胞よりリンパ球を優先的に破砕し、リンパ球の細胞壁のみならずリンパ球の核を破砕する際に有益である。従って、リンパ球の存在が他の細胞の分析の妨げになる場合など、リンパ球を優先的に破砕したい場合には、超音波による破砕工程を含むことが好ましい。【００４４】
本発明の細胞核を脱離させる方法では、上述した方法を２種以上組み合わせてもよく、水流せん断と超音波による破砕の組み合わせが好ましい。【００４５】
細胞核を抽出する工程では、組織又は細胞は、通常用いられる緩衝液に浸漬若しくは分散させればよく、例えばトリス（ヒドロキシメチル）アミノメタン緩衝液、リン酸緩衝液、炭酸緩衝液、グリシン緩衝液、酢酸緩衝液、酒石酸緩衝液、クエン酸緩衝液、トリエタノールアミン緩衝液、ホウ酸緩衝液、Ｇｏｏｄ緩衝液等を用いればよい。もっとも、界面活性剤は、細胞核の脱離を促進する作用があるため、界面活性剤を添加した緩衝液を用いて細胞核の抽出を行うことが好ましい。界面活性剤としては、細胞核に影響しなければ特に限定されず、陰イオン性界面活性剤（カルボン酸型、スルホン酸型、硫酸エステル型、リン酸エステル型等）、陽イオン性界面活性剤（第四級アンモニウム塩型、アルキルアミン塩型、ピリジン環を有する型等）、両性界面活性剤（ベタイン型、スルホベタイン型、アミンオキシド型、アルキルイミダゾール型、アミノ酸型等）、非イオン性界面活性剤（エステル型、エーテル型、エステルエーテル型、アルカノールアミド型、アルキルグリコシド等）の界面活性剤が挙げられる。好ましくは非イオン性界面活性剤のＴｒｉｔｏｎＸ−１００、ＴｒｉｔｏｎＸ−４０５、ＮＰ−４０、Ｂｒｉｊｉ−３５、Ｂｒｉｊｉ−５８、Ｔｗｅｅｎ−２０、Ｔｗｅｅｎ−８０、ＢＰＳＨ−２５、Ｏｃｔｙｌ Ｇｌｕｃｏｓｉｄｅ、およびＯｃｔｙｌｔｈｉｏ Ｇｌｕｃｏｓｉｄｅが挙げられる。【００４６】
悪性腫瘍は、遺伝子変異によって自律的で制御されない増殖を行うようになった細胞集団（腫瘍、良性腫瘍と悪性腫瘍が含まれる）のなかで周囲の組織に浸潤し、または転移を起こす腫瘍であり、悪性腫瘍（Ｍａｌｉｇｎａｎｔ ｔｕｍｏｒ）の用語は病理学において
１）癌腫（Ｃａｒｃｉｎｏｍａ）：上皮組織由来の悪性腫瘍
２）肉腫（Ｓａｒｃｏｍａ）：非上皮組織由来の悪性腫瘍
３）その他：白血病など
に分類され、本願において「がん」とは癌腫を意味する。特に限定しないが、頭頸部癌（上顎癌、（上、中、下）咽頭癌、喉頭癌、舌癌、甲状腺癌）、胸部癌（乳癌、肺癌（非小細胞肺癌、小細胞肺癌））、消化器癌（食道癌、胃癌、十二指腸癌、大腸癌（結腸癌、直腸癌）、肝癌（肝細胞癌、胆管細胞癌）、胆嚢癌、胆管癌、膵癌、肛門癌、泌尿器の癌（腎癌、尿管癌、膀胱癌、前立腺癌、陰茎癌、精巣（睾丸）癌）、生殖器癌（子宮癌（子宮頸癌、子宮体癌）、卵巣癌、外陰癌、膣癌）、皮膚癌（基底細胞癌、有棘細胞癌）などのがん細胞がこれにあたる。【００４７】
Ｋｉ−６７は、単独で、或いは他のマーカーと組み合わせて、がんの診断を補助するため、又はがんの治療の予後を診断するのを補助するために用いることができる。
癌腫と肉腫を区別するために用いられる上皮性細胞のマーカーとしては、サイトケラチンが挙げられる。サイトケラチンは上皮細胞の主要な骨格タンパク質であり、約２０〜３０種類のサブタイプ（分子量４０〜６８ＫＤａ）が報告されている。上皮性細胞マーカーとしてサイトケラチンを検出するのに、公知の広いサブタイプを認識する抗体（ポリクローナル又はモノクローナル抗体）が用いられるが、各サブタイプに特異的に結合する公知の抗体を複数含むカクテルを用いてもよい。【００４８】
エストロゲン受容体（Estrogen Receptor、ＥＲ）は、ステロイド受容体スーパーファミリーに属する分子の一つであり、卵胞ホルモン受容体とも呼ばれる。ＥＲには２つのアイソフォームが存在しており、それぞれＥＲαおよびＥＲβと呼ばれる。これらは独立した遺伝子（ＥＳＲ１、ＥＳＲ２）から産生される。ＥＳＲ１は６ｑ２５．１に存在し、ＥＳＲ２は１４ｑ２１−２２に存在している。
プロゲステロン受容体（Progesterone receptor （ＰＲまたはＰｇＲ）は、核内受容体スーパーファミリーのサブファミリー３グループＣに属する核内タンパクである。１１ｑ２２に存在する単一のＰｇＲ遺伝子によってコードされ、分子量の異なる２つのアイソフォームが知られている。【００４９】
原発乳癌の約３分の２はホルモン受容体陽性乳癌であり、日本人女性のＥＲ陽性乳癌が増加傾向にあることがわかってきた。ＰｇＲはエストロゲン-ＥＲ複合体によって発現が誘導されるので，ＰｇＲの有無はエストロゲンとＥＲの機能が正常に働いているかの目安になる。現在，これらのホルモン受容体の発現は病理組織標本を用いた免疫組織化学的方法により検出されている。【００５０】
ＨＥＲ２（ハーツー）は、細胞表面に存在する約１８５ｋＤａの糖タンパクで、受容体型チロシンキナーゼである。上皮成長因子受容体（ＥＧＦＲ、別名ＥＲＢＢ１）に類似した構造をもち、ＥＧＦＲ２、ＥＲＢＢ２、ＣＤ３４０、あるいはＮＥＵとも呼ばれる。ＨＥＲ２タンパクをコードする遺伝子は、ＨＥＲ２／ｎｅｕ、ｅｒｂＢ−２で１７番染色体長腕に存在する。また、ＨＥＲ２は、human epidermal growth factor receptor （ＨＥＲ／ＥＧＦＲ／ＥＲＢＢ）ｆａｍｉｌｙ（ＥＧＦＲファミリー）に属するタンパク質である。
ＨＥＲ２タンパクは、正常細胞において細胞の増殖、分化などの調節に関与しているが、何らかの理由でＨＥＲ２遺伝子の増幅や遺伝子変異が起こると、細胞の増殖・分化の制御ができなくなり、細胞は悪性化する。ＨＥＲ２遺伝子はがん遺伝子でもあり、多くの種類のがんで遺伝子増幅がみられる。【００５１】
上述した酵素による抗原賦活化工程、更に細胞核を抽出する工程で得られる試料は、Ｋｉ−６７と組み合わせて診断の補助をするこれらのマーカーの分析にも用いることができる。特に、トロンビンとヒアルロニダーゼとを組み合わせた酵素処理は、これらのマーカーの分析も行う場合に好ましい。もっとも、ＨＥＲ２遺伝子の検出は、核脱離した後に公知の方法で抽出した核酸を用いて行ってもよい。【００５２】
「患者」は哺乳動物であってよく、「ヒト」又は「非ヒト哺乳動物」であってよい。
「組織切片」とはヒト又は非ヒト動物の単離された組織の切片をいう。生検で採取された「組織切片」であってよい。「組織切片」は単離後、凍結保存などされていてもよい。【００５３】
「生検」とは診断の際に、顕微鏡などで観察するため病理組織の一部をメスや針などで採取することを意味する。乳がんの場合、患者の乳房より、「切除生検」（組織のしこり全摘出）；「切開生検」（一部を摘出）；「コア生検」（太い針で 組織の一部を摘出）；あるいは「細針穿刺吸引（ＦＮＡ）生検」（細い針で組織あるいは体液を摘出）ことにより採取される。【００５４】
「分解酵素による抗原賦活化剤」及び「熱処理による抗原賦活化剤」は、いずれも、成分が溶解している溶液の状態で存在してもよく、乾燥した固体の状態であってもよい。これらの何れか一方又は両方が固体の状態の場合、「キット」にはこれらの固形成分を溶かすための「溶媒」を含んでいてもよい。【００５５】
「Ｋｉ−６７を免疫染色で検出する試料に用いる抗原賦活化剤」は、抗Ｋｉ−６７抗体を用いて、細胞又は細胞核を検出する試料、典型的には、固定化された細胞群又は組織に用いられる酵素による賦活化剤を指す。【００５６】
「がん治療の予後」とは、患者に化学療法（抗がん剤治療）、内分泌療法、外科手術（腫瘍の摘出）、放射線治療などを行い、その治療の効果を確認予測することを指す。【００５７】
「固定化された細胞群中のＫｉ−６７陽性細胞を検出するためのキット」は、配列番号２のペプチドを認識切断しない加水分解酵素と、抗Ｋｉ−６７抗体とを含む。加水分解酵素は、好ましくは、トロンビン、Ａｒｇ−Ｃ（クロストリパイン）ペプチターゼ、プロリンエンドペプチターゼ及びヒアルロニダーゼからなる群から選択される少なくとも一種であり、より好ましくはトロンビン及び／又はヒアルロニダーゼである。抗Ｋｉ−６７抗体は、好ましくはＭＩＢ−１、ＤＡＫＯ−ＰＣ、Ｋｉ−Ｓ５及びＡ−００４７からなる群から選択される少なくとも一種である。抗Ｋｉ−６７抗体は、直接、蛍光色素、酵素、化学発光物質、放射性元素等で標識されてもよく、あるいはキットが抗Ｋｉ−６７抗体に結合する２次抗体を含み、この２次抗体が、蛍光色素、酵素、化学発光物質、放射性元素等で標識されてもよい。キットは、Ｋｉ−６７と組み合わせて、がんの診断を補助するため、又はがんの治療の予後を診断するのを補助するために用いられる他のマーカーを検出するためのリガンド（例えば抗体又はプローブ等）を含むことができる。例えば、抗サイトケラチン抗体、抗ＥＲ抗体、抗ＰｇＲ抗体、ＨＥＲ２遺伝子に（典型的には厳格な条件下で）ハイブリダイズするプローブ（これらまたはこれらの二次的なリガンド（抗体若しくは核酸など）は標識されてよい）、及び核酸染色用の化合物（例えば、ＤＡＰＩやヨウ化プロピジウム（ＰＩ））が挙げられる。
キットは、更に、「細胞核を抽出する工程」で用いられる組織又は細胞を浸漬又は分散させるための緩衝液を含むことができ、好ましくはこの緩衝液は界面活性剤を含む。界面活性剤としては、好ましくはＣＨＡＰＳ、ＮＰ−４０、Ｔｒｉｔｏｎ−Ｘ１００が挙げられ、ＮＰ−４０、Ｔｒｉｔｏｎ−Ｘ１００がより好ましい。従って、本願発明によれば、水流又は超音波などで生じるせん断応力により細胞（通常、固定化された細胞）から細胞核を抽出するためのキットであって、界面活性剤を含有する細胞分散用緩衝液を含む、キットが提供される。【００５８】
「カットオフ値」（分割点又は病態識別値）とは、検査結果の陽性と陰性を鑑別する数値を指す。Ｋｉ−６７の場合、ルミナルＡ（様）型とルミナルＢ（様）型を分類するのに現在１４〜２０％の値が推奨されている。【００５９】
「抗がん剤」とはがんを治療又は予防するための医薬を指す。これに限定しないが、分子標的薬、アルキル化剤、代謝拮抗剤、植物アルカロイド、抗がん性抗生物質、プラチナ製剤、ホルモン剤、生物学的応答調節剤などに分類される。
「内分泌療法」とは、ホルモン依存性の乳がんの増殖を促す女性ホルモン（エストロゲン）が働かないようにする治療法であり、これに限定しないが、抗エストロゲン剤、Ｌｈ−ＲＨアゴニスト製剤、アロマターゼ阻害剤、プロゲステロン製剤などのホルモン剤を投与することを含む。
「化学療法」とは、抗がん作用を奏する化学物質を用いてがんを治療することをいう。これに限定しないが、ＤＮＡ合成及び複製阻害剤であるアントラサイクリン系抗がん剤（ダウノルビシン（ダウノマイシン）、ドキソルビシン（アドリアマイシン）、エピルビシン、イダルビシンなど）、細胞増殖の抑制剤であるタキサン系抗がん剤（パクリタキセル（タキソール）、ドセタキセル（タキソテール）など）、ＤＮＡの複製を妨げるプラチナ（白金）製剤（シスプラチン、オキサリプラチン等）などを単投与または併用投与することを含み、好ましくはアントラサイクリン系抗がん剤とタキサン系抗がん剤を併用投与することを含む。本願明細書においては、「ホルモン剤」を投与する場合は、「内分泌療法」に含まれるものとする。
【実施例】
【００６０】
以下の実施例、比較例及び参考例により本発明を更に詳細に説明するが、本発明はこれら実施例に限定されるものではない。【００６１】
＜参考例１＞
水流せん断による細胞核脱離観測
１．材料及び方法
乳癌組織のＦＦＰＥ組織切片に脱パラフィン／親水化、熱処理による抗原賦活化を施し、水流せん断装置を用いて分散処理後、回収産物に免疫蛍光染色を行い顕微鏡観察した。
１−１．ＦＦＰＥ組織ブロック
Ｐｒｏｔｅｏｇｅｎｅｘ社より購入した乳癌組織のＦＦＰＥ組織ブロックを用いた。
１−２．ＦＦＰＥ切片の作成
Ｔｈｅｒｍｏｆｉｓｈｅｒ社製滑走式ミクロトームを用いてＦＦＰＥ組織ブロックを薄切して厚さ２０μｍの切片を作成した。
１−３．脱パラフィン／親水化
薄切したＦＦＰＥ切片に十分量のキシレンを添加し、１０分間静置後、キシレンを除去した。この工程を再度行い、完全にパラフィンを除去した。次いで、１００％エタノール、９５％エタノール、７０％エタノール、５０％エタノール、脱イオン水に順に３分間ずつ浸漬して親水化した。
１−４．熱処理による抗原賦活化
純水で１０倍に希釈したナカライテスク社製Ｈｉｓｔｏ ＶＴ Ｏｎｅを添加し、ヒートブロックで９８℃下、２０分間加熱した。加熱後、室温にて２０分間静置して後、抗原賦活化液を除去した。
１−６．水流破砕
Ｓｙｓｍｅｘ社の水流せん断装置（ＲＰ−１０）を用い、氷冷下、賦活化済組織を、ＴＢＳ１ｍＬ中で１０，０００ｒｐｍ、１分間破砕した。
１−７．免疫蛍光染色
１０％正常ヤギ血清（和光）を添加した４％ＢＳＡ／ＴＢＳを水流破砕による破砕物が入ったマイクロチューブに添加し、室温下３０分間静置し、ブロッキング処理した。免疫蛍光染色は、１次抗体としてｐａｎ−サイトケラチン抗体（Ａｂｃａｍ、ウサギポリクローナル抗体：Ａｎｔｉ−ｗｉｄｅ ｓｐｅｃｔｒｕｍ Ｃｙｔｏｋｅｒａｔｉｎ ａｎｔｉｂｏｄｙ（ＡＢ９３７７−５００））を用い、２次抗体はＡｂｃａｍ社Ｇｏａｔ ａｎｔｉ−Ｒａｂｂｉｔ Ｓｅｃｏｎｄａｒｙ Ａｎｔｉｂｏｄｙ Ａｌｅｘａ ４８８を使用した。１次抗体反応時間は５０分、２次抗体反応時間は３０分であり、２次抗体反応時間経過時に細胞核を染色する色素ＤＡＰＩ Ｓｏｌｕｔｉｏｎ（和光）を添加した。反応は全て室温であり、２次抗体添加以降は遮光下にて行った。抗体希釈液には０．５％ＢＳＡ／ＴＢＳを使用し、各工程の間には１回ずつ０．５％ＢＳＡ／ＴＢＳによる洗浄操作を行った。スライドガラスにＤＡＰＩ包埋剤（和光）を５μＬのせ、その上に２次抗体反応後のサンプルを乗せた。その後、カバーガラスを被せ、５分間静置後、上から垂直に押し、カバーガラスの周囲をマニキュアでシールした。観察時まで遮光し、４℃下で保存した。
１−８．蛍光顕微鏡
顕微鏡観察には、ＥＶＯＳ オールインワン顕微鏡、蛍光顕微鏡（Ｔｈｅｒｍｏｓｃｉｅｎｔｉｆｉｃ）を使用した。観察時にはＤＡＰＩライトキューブ（Ｅｘ ３５７ｎｍ、Ｅｍ  ４４７ｎｍ）、ＧＦＰライトキューブ（Ｅｘ ４７０ｎｍ/Ｅｍ ５１０ｎｍ）を使用した。接眼レンズは１０倍、対物レンズは４０倍を使用した。【００６２】
２．結果
図１に蛍光顕微鏡で観測した細胞核を示す。左の図に示す通り、円形状に核酸が存在し、右図に示す通り、サイトケラチンが核酸の周囲に存在している。よって、細胞核、骨格が破損せず円形を保ち、凝集することなく単一細胞核として回収されたことが確認された。【００６３】
＜参考例２＞
ホルマリン固定化乳癌細胞中のサイトケラチン及びＫｉ−６７由来シグナルの確認
１．材料及び方法
ホルマリンで固定化した乳癌細胞に熱処理による抗原賦活化を施し、免疫蛍光染色を行い、サイトケラチンとＫｉ−６７のシグナルをフローサイトメーターで確認した。
１−１．細胞
３種の乳癌細胞株、Ｔ４７Ｄ、ＭＤＡ−ＭＢ−２３１（図においてＭＢ２３１又は２３１と表記）、及びＳＫＢｒ３（図においてはＳＫＢＲと表記）を、ＡＴＣＣ（Ａｍｅｒｉｃａｎ Ｔｙｐｅ Ｃｕｌｔｕｒｅ Ｃｏｌｌｅｃｔｉｏｎ）より入手し、使用した。
１−２．細胞培養とホルマリン固定
Ｔ４７Ｄ細胞株はＲＰＭＩ−１６４０培地、ＭＤＡ−ＭＢ−２３１細胞株はＬｅｉｂｏｖｉｔｚ’ｓ Ｌ−１５培地およびＳＫＢｒ３細胞は、ＭｃＣｏｙ’ｓ ５Ａ培地で培養し、１０％のウシ胎児血清（ＦＢＳ）を補った。細胞が十分に増殖した後に培養液を吸引、ＰＢＳで洗浄したのちに、ＴｒｙｐＬＥ Ｅｘｐｒｅｓｓ（Ｔｈｅｒｍｏｆｉｓｈｅｒ）を添加した。細胞を回収した後に遠心分離を行いＰＢＳで洗浄した。さらにＰＢＳで細胞を十分に懸濁後１×１０６個に分注し、遠心分離、ＰＢＳ除去を行い、１０％中性緩衝ホルマリン液（和光純薬）を添加後、４℃で２４時間固定した。細胞は使用する前に、ホルマリン液を除去し、ＰＢＳで洗浄した。
１−４．熱処理による抗原賦活化
参考例１と同様の処理を行った。
１−７．免疫蛍光染色
１０％正常ヤギ血清（和光）を添加した４％ＢＳＡ／ＴＢＳを熱処理による抗原賦活化後の細胞が入ったマイクロチューブに添加し、室温下３０分間静置し、ブロッキング処理した。免疫蛍光染色は、マウス抗体とラビット抗体の混合液を用いて２重染色した。１次抗体はＫｉ−６７抗体（Ｄａｋｏ、クローン：ＭＩＢ−１、マウスモノクローナル抗体）、及びｐａｎ−サイトケラチン抗体（Ａｂｃａｍ、ウサギポリクローナル抗体（ＡＢ９３７７−５００））を用い、２次抗体はＴｈｅｒｍｏｆｉｓｈｅｒ社Ｇｏａｔ ａｎｔｉ−Ｍｏｕｓｅ Ｓｅｃｏｎｄａｒｙ Ａｎｔｉｂｏｄｙ Ａｌｅｘａ ６４７、及びＡｂｃａｍ社Ｇｏａｔ ａｎｔｉ−Ｒａｂｂｉｔ Ｓｅｃｏｎｄａｒｙ Ａｎｔｉｂｏｄｙ Ａｌｅｘａ ４８８を使用した。１次抗体反応時間は５０分、２次抗体反応時間は４０分であり、２次抗体添加後２０分後に細胞核を染色する色素ＤＡＰＩ Ｓｏｌｕｔｉｏｎ（和光）を添加した。反応は全て室温であり、２次抗体添加以降は遮光下行った。抗体希釈液には０．５％ＢＳＡ／ＴＢＳを使用し、各工程の間には１回ずつ０．５%ＢＳＡ／ＴＢＳによる洗浄操作を行った。また、ネガティブコントロール（アイソタイプコントロール）として１次抗体の代わりにそれぞれ対応する１次抗体と同種、同濃度の抗体を用いた。Ｋｉ−６７はＤａｋｏ社のマウスＩｇＧ抗体を使用し、サイトケラチンはＣｅｌｌｓｉｇｎａｌｉｎｇ ｔｅｃｈｎｏｌｏｇｙ社のラビットＩｇＧ抗体を用いた。
１−８．フローサイトメーター測定
Ｆａｌｃｏｎ（登録商標）セルストレーナー ５ｍＬチューブ用３５μｍ（３８０メッシュ）（フローサイトメーター用）のフィルターを通過させた後に、指定容器に移し替えてフローサイトメーター（Ｓｙｓｍｅｘ：Ｓｐａｃｅ）で測定した。測定は、機器マニュアルに従って行った。
１−９．サイトケラチン及びＫｉ−６７陽性率の算出
得られた測定データの解析にはＦＬＯＷＪＯ ＬＬＣ社製のソフトＦｌｏｗＪｏ ｖ１０を用いた。データ解析はソフト添付の説明書に従い、以下の順で行った。前方散乱を横軸、側方散乱を縦軸としたスキャッタグラム上で、図２に示す主要な領域を選択した。次に、ＤＡＰＩの蛍光強度を横軸、細胞（核）個数を縦軸として、主要な領域を細胞核としてゲーティングした（図３）。サイトケラチン及びＫｉ−６７の陽性率は全細胞核中のサイトケラチン陽性核数、及びＫｉ−６７陽性核数の割合として算出した。陽性核の閾値はアイソタイプコントロールの９５パーセンタイル値とした。【００６４】
２．結果
図４に抗サイトケラチン抗体及び抗Ｋｉ−６７抗体で検出した蛍光強度のヒストグラム（黒色実線）、及びそれらのアイソタイプコントロール抗体で検出した蛍光強度のヒストグラム（灰色破線）を重ね合わせたチャートを示す。いずれの細胞株でも、黒色のピークが灰色と比較し高い蛍光強度を示した。これらより、ホルマリン固定化乳癌細胞中のサイトケラチン及びＫｉ−６７の存在を確認した。【００６５】
＜実施例１＞
トロンビンでの抗原賦活化によるホルマリン固定化細胞中のＫｉ−６７シグナルの増強
１．材料及び方法
ホルマリンで固定化した乳癌細胞を用い、トロンビン処理の有無でのシグナル強度を比較した。
１−１．細胞
参考例２で用いた３種の乳癌細胞株を用いた。
１−２．細胞培養とホルマリン固定
参考例２と同様に行った。
１−４．熱処理による抗原賦活化
参考例１と同様の処理を行った。
１−５．酵素による抗原賦活化
熱処理による抗原賦活化後の細胞にトロンビン試薬（２５ｍＭ Ｔｒｉｓ−ＨＣｌ ｐＨ７．４、１５０ｍＭ ＮａＣｌ、１０００ＫＵ／Ｌ トロンビン、１０ｍＭ ＣａＣｌ２）を添加しヒートブロックで３７℃下、２０分間加熱した。
１−７．免疫蛍光染色
参考例２と同様に行った。ここでは、１次抗体としてＫｉ−６７抗体（Ｄａｋｏ、クローン：ＭＩＢ−１、マウスモノクローナル抗体）、２次抗体としてＴｈｅｒｍｏｆｉｓｈｅｒ社Ｇｏａｔ ａｎｔｉ−Ｍｏｕｓｅ Ｓｅｃｏｎｄａｒｙ Ａｎｔｉｂｏｄｙ Ａｌｅｘａ ６４７を使用した。
１−８．フローサイトメーター測定
参考例２と同様に行った。
１−９．Ｋｉ−６７陽性率の算出
参考例２と同様に行った。【００６６】
２．結果
図５に抗Ｋｉ−６７抗体（黒色実線）及びアイソタイプコントロール抗体（灰色破線）で検出した蛍光強度を重ね合わせたチャートを示し、図６及び表２にＫｉ−６７陽性率の変化を示した。いずれの細胞株でも、トロンビンによる抗原賦活化を行うと蛍光強度が上昇し、それに伴いＫｉ−６７陽性率の増加が見られた。
【表２】
2019168085.tif 000004
【００６７】
＜実施例２＞
ヒアルロニダーゼでの抗原賦活化によるホルマリン固定化細胞中のＫｉ−６７シグナルの増強
１．材料及び方法
ホルマリンで固定化した乳癌細胞を用い、ヒアルロニダーゼ処理の有無でのシグナル強度を比較した。
１−１．細胞
参考例２で用いたＴ４７Ｄ細胞株を用いた。
１−２．細胞培養とホルマリン固定
参考例２と同様に行った。
１−４．熱処理による抗原賦活化
参考例１と同様の処理を行った。
１−５．酵素による抗原賦活化
熱処理による抗原賦活化後の細胞にヒアルロニダーゼ試薬（２５ｍＭ Ｔｒｉｓ−ＨＣｌ  ｐＨ７．４、１５０ｍＭ ＮａＣｌ、４０００−１００００ＫＵ／Ｌ ヒアルロニダーゼＩ―Ｓ、７５００−３００００ＫＵ／Ｌ ヒアルロニダーゼＩＶ―Ｓ、２７ｍＭ  ＫＣｌ）を添加しヒートブロックで３７℃下、２０分間加熱した。
１−７．免疫蛍光染色
参考例２と同様に行った。ここでは、１次抗体としてＫｉ−６７抗体（Ｄａｋｏ、クローン：ＭＩＢ−１、マウスモノクローナル抗体）、２次抗体としてＴｈｅｒｍｏｆｉｓｈｅｒ社Ｇｏａｔ  ａｎｔｉ−Ｍｏｕｓｅ  Ｓｅｃｏｎｄａｒｙ  Ａｎｔｉｂｏｄｙ  Ａｌｅｘａ６４７を使用した。
１−８．フローサイトメーター測定
参考例２と同様に行った。
１−９．Ｋｉ−６７陽性率の算出
参考例２と同様に行った。【００６８】
２．結果
図７に抗Ｋｉ−６７抗体（黒色実線）及びアイソタイプコントロール抗体（灰色破線）で検出した蛍光強度の重ね合わせチャートを示した。ヒアルロニダーゼ処理により蛍光強度が上昇し、それに伴いＫｉ−６７陽性率の増加が見られた。【００６９】
＜参考例３＞
ＦＦＰＥ組織切片中のサイトケラチン及びＫｉ−６７由来シグナルの確認
１．材料及び方法
乳癌組織のＦＦＰＥ組織切片中のサイトケラチン及びＫｉ−６７のシグナルをフローサイトメーターにて確認した。
１−１．ＦＦＰＥ組織ブロック
参考例１で用いたＦＦＰＥ組織ブロックを用いた。
１−２．ＦＦＰＥ切片の作成
Ｔｈｅｒｍｏｆｉｓｈｅｒ社製滑走式ミクロトームを用いてＦＦＰＥ組織ブロックを薄切して厚さ２０μｍの切片２枚を作成し、検討に用いた。
１−３．脱パラフィン／親水化
参考例１と同様に行った。
１−４．熱処理による抗原賦活化
参考例１と同様に行った。
１−６．水流破砕
参考例１と同様に行った。
１−７．免疫蛍光染色
参考例２と同様に行った。
１−８．フローサイトメーター測定
参考例２と同様に行った。
１−９．サイトケラチン及びＫｉ−６７陽性率の算出
得られた測定データの解析にはＦＬＯＷＪＯ ＬＬＣ社製のソフトＦｌｏｗＪｏ ｖ１０を用いた。データ解析は以下の順で行った。まず、ＤＡＰＩの蛍光強度を横軸、細胞（核）個数を縦軸として、横軸の蛍光量が５〜１５０の領域を細胞核としてゲーティングした。サイトケラチン及びＫｉ−６７の陽性率は全細胞核中のサイトケラチン陽性核数、及びＫｉ−６７陽性核数の割合として算出した。陽性核の閾値はアイソタイプコントロールの９５パーセンタイル値とした。【００７０】
２．結果
図８に抗サイトケラチン抗体及び抗Ｋｉ−６７抗体で検出した蛍光強度のヒストグラム（黒色実線）、及びそれらのアイソタイプコントロール抗体で検出した蛍光強度のヒストグラム（灰色破線）を重ね合わせたチャートを示す。黒色のピークが灰色と比較し高い蛍光強度を示した。これらより、ＦＦＰＥ組織切片中のサイトケラチン及びＫｉ−６７の検出を確認した。【００７１】
＜実施例３＞
トロンビンでの抗原賦活化によるＦＦＰＥ組織切片中のサイトケラチン及びＫｉ−６７シグナルの増強
１．材料及び方法
乳癌組織のＦＦＰＥ組織切片を用い、トロンビン処理の有無でのシグナル強度を比較した。
１−１．ＦＦＰＥ組織ブロック
ＩＰｒｏｔｅｏｇｅｎｅｘ社より購入した、ＨＣ法によってＫｉ−６７陽性率が異なった２人の乳癌患者から得られた２種のＦＦＰＥ組織ブロックを使用した。
１−２．ＦＦＰＥ切片の作成
Ｔｈｅｒｍｏｆｉｓｈｅｒ社製滑走式ミクロトームを用いてＦＦＰＥ組織ブロックを薄切して厚さ２０μｍの切片２枚を作成し、検討に用いた。
１−３．脱パラフィン／親水化
参考例１と同様に行った。
１−４．熱処理による抗原賦活化
参考例１と同様に行った。
１−５．酵素による抗原賦活化
実施例１と同様に行った。
１−６．水流破砕
参考例１と同様に行った。
１−７．免疫蛍光染色
参考例２と同様に行った。
１−８．フローサイトメーター測定
参考例２と同様に行った。
１−９．サイトケラチン及びＫｉ−６７陽性率の算出
参考例３と同様に行った。【００７２】
２．結果
図９Ａに抗サイトケラチン抗体及び抗Ｋｉ−６７抗体で検出した蛍光強度のヒストグラム（黒色実線）と、それらのアイソタイプコントロール抗体で検出した蛍光強度のヒストグラム（灰色破線）を重ね合わせたチャートを示す。いずれのＦＦＰＥ切片でも、トロンビンによる処理を行うとサイトケラチン、Ｋｉ−６７の蛍光強度がいずれも上昇し、それに伴い陽性率の増加が見られた（図９Ｂ）。【００７３】
＜実施例４＞
薄切切片の厚さによるサイトケラチン及びＫｉ−６７シグナル強度への影響
１．材料及び方法
ＦＦＰＥ切片の厚さによってサイトケラチン及びＫｉ−６７のシグナル強度に影響を及ぼすか確認した。
１−１．ＦＦＰＥ組織ブロック
参考例１で用いたＦＦＰＥ組織ブロックを用いた。
１−２．ＦＦＰＥ切片の作成
Ｔｈｅｒｍｏｆｉｓｈｅｒ社製滑走式ミクロトームを用いて同一ＦＦＰＥ組織ブロックより２０μｍ ３枚、３０μｍ ２枚、６０μｍ １枚の薄切サンプルを作成した。
１−３．脱パラフィン／親水化
参考例１と同様に処理した。
１−４．熱処理による抗原賦活化
参考例１と同様に処理した。
１−５．酵素による抗原賦活化
実施例１と同様に処理した。
１−６．水流破砕
参考例１と同様に行った。
１−７．免疫蛍光染色
参考例２と同様に行った。１−８．フローサイトメーター測定
参考例２と同様に行った。
１−９．サイトケラチン及びＫｉ−６７陽性率の算出
参考例３と同様に行った。【００７４】
２．結果
薄切切片の厚さとサイトケラチン及びＫｉ−６７の陽性率の変化を図１０に示す。
２０μｍ ３枚で検出効率が最も良好であったが、２０〜６０μｍいずれの厚さにおいてもサイトケラチン（ＣＫ）及びＫｉ−６７（Ｋｉ６７）の検出が可能であった。【００７５】
＜実施例５＞
フローサイトメーターによるＫｉ−６７陽性率とＩＨＣ法による陽性率の比較検討
１．材料及び方法
ＦＦＰＥ組織ブロックを用いてフローサイトメーターによるＫｉ−６７陽性率とＩＨＣ法による陽性率を比較した。
１−１．ＦＦＰＥ組織ブロック
Ｐｒｏｔｅｏｇｅｎｅｘ社より購入した、ＩＨＣ法によってＫｉ−６７陽性率が異なった１９人の患者より得られた１９種のＦＦＰＥ組織ブロックを使用した。
１−２．ＦＦＰＥ切片の作成
参考例３と同様に行った。
１−３．脱パラフィン／親水化
参考例１と同様に処理した。
１−４．熱処理による抗原賦活化
参考例１と同様に処理した。
１−５．酵素による抗原賦活化
実施例１と同様に処理した。
１−６．水流破砕
参考例１と同様に行った。
１−７．免疫蛍光染色
参考例２と同様に行った。ここでは、１次抗体はＫｉ−６７抗体（Ｄａｋｏ、クローン：ＭＩＢ−１、マウスモノクローナル抗体）、及びｐａｎ−サイトケラチン抗体（Ａｂｃａｍ、ウサギポリクローナル抗体）を用い、２次抗体としてＴｈｅｒｍｏｆｉｓｈｅｒ社Ｇｏａｔ ａｎｔｉ−Ｍｏｕｓｅ Ｓｅｃｏｎｄａｒｙ Ａｎｔｉｂｏｄｙ Ａｌｅｘａ ６４７、及びＡｂｃａｍ社Ｇｏａｔ ａｎｔｉ−Ｒａｂｂｉｔ Ｓｅｃｏｎｄａｒｙ Ａｎｔｉｂｏｄｙ Ａｌｅｘａ ４８８を使用した。
１−８．フローサイトメーター測定
参考例２と同様に行った。
１−９．フローサイトメーターによるＫｉ−６７陽性率の算出
参考例３と同様に行った。
１−１０．ＩＨＣ法によるＫｉ−６７陽性率算出
ＩＨＣ法によるＫｉ−６７陽性率は１次抗体はＫｉ−６７抗体（Ｄａｋｏ、クローン：ＭＩＢ−１、マウスモノクローナル抗体）を用い、ホットスポット法により算出された。なお、鏡検者によるバラツキを考慮して病理医２名の平均値とした。【００７６】
２．結果
Ｋｉ−６７陽性率におけるＩＨＣ法との相関性を図１１に示す。
ＩＨＣ法をＸ、本法をＹとして相関性を確認した。また、陽性核のカットオフをアイソタイプコントロールの９５パーセンタイル値としているため、切片は１０と設定した。図１１に示したようにＹ＝０．５６３２Ｘ＋１０、相関係数０．７６９７と良好な結果が得られた。これより本法はＦＦＰＥ組織切片中のＫｉ−６７を検出出来ているといえる。【００７７】
＜実施例６＞
各種消化酵素での抗原賦活化をした際のＫｉ−６７及びサイトケラチンの検出
１．材料及び方法
ホルマリンで固定化した乳癌細胞を用い、５種の異なる消化酵素での抗原賦活化について、Ｋｉ−６７及びサイトケラチンのシグナル強度を比較した。
１−１．細胞
参考例２で用いた３種の乳癌細胞株を用いた。
１−２．細胞培養とホルマリン固定
参考例２と同様に行った。
１−４．熱処理による抗原賦活化
参考例１と同様の処理を行った。
１−５Ａ．酵素による抗原賦活化（トロンビン）
実施例１と同様に処理した。
１−５Ｂ．酵素による抗原賦活化（トリプシン）
トリプシン試薬（２５ｍＭ ＴＢＳ ｐＨ７．４、 １Ｍ ＣａＣｌ２、１ｍｇ／ｍＬトリプシン）２５０μＬを、熱処理による抗原賦活化をした細胞に添加し、３７℃下、２０分間加熱した。酵素処理後はＴＢＳで洗浄して酵素を取り除いた。
１−５Ｃ．酵素による抗原賦活化（プロテイナーゼＫ）
６００ ｍＡｎｓｏｎ  Ｕ／ｍＬプロテイナーゼＫ（タカラバイオ）を２５ｍＭ ＴＢＳ  ｐＨ７．４で４０倍（ｖ／ｖ）に希釈し、プロテイナーゼＫ溶液とした。プロテイナーゼＫ溶液２５０μＬを、熱処理による抗原賦活化をした細胞へ添加し、３７℃下、２０分間加熱した。酵素処理後はＴＢＳで洗浄して酵素を取り除いた。
１−５Ｄ．酵素による抗原賦活化（ディスパーゼ）
ディスパーゼ（和光）を２５ｍＭ ＴＢＳ ｐＨ７．４に溶解し、ディスパーゼ溶液（３，０００ＰＵ／ｍＬ）とした。ディスパーゼ溶液２５０μＬを抗原賦活化した細胞へ添加し３７℃下、２０分間加熱した。反応終了後は、１Ｍ ＥＤＴＡ溶液（和光）を２μＬ添加して転倒混和した後、ＴＢＳで洗浄して酵素を取り除いた。
１−５Ｅ．酵素による抗原賦活化（プロリンエンドペプチダーゼ）
プロリンエンドペプチダーゼ（東洋紡）を２５ｍＭ ＴＢＳ ｐＨ７．４に溶解し、プロリンエンドペプチダーゼ溶液（１０Ｕ／ｍＬ）とした。プロリンエンドペプチダーゼ溶液２５０μＬを、熱処理による抗原賦活化をした細胞へ添加し、３７℃下、２０分間加熱した。反応終了後は、ＴＢＳで洗浄して酵素を取り除いた。
１−７．免疫蛍光染色
参考例２と同様に行った。ここでは、１次抗体はＫｉ−６７抗体（Ｄａｋｏ、クローン：ＭＩＢ−１、マウスモノクローナル抗体）、及びｐａｎ−サイトケラチン抗体（Ａｂｃａｍ、ウサギポリクローナル抗体）を用い、２次抗体としてＴｈｅｒｍｏｆｉｓｈｅｒ社Ｇｏａｔ ａｎｔｉ−Ｍｏｕｓｅ Ｓｅｃｏｎｄａｒｙ Ａｎｔｉｂｏｄｙ Ａｌｅｘａ ６４７、及びＡｂｃａｍ社Ｇｏａｔ ａｎｔｉ−Ｒａｂｂｉｔ Ｓｅｃｏｎｄａｒｙ Ａｎｔｉｂｏｄｙ Ａｌｅｘａ ４８８を使用した。
１−８．フローサイトメーター測定
参考例２と同様に行った。
１−９．サイトケラチン及びＫｉ−６７陽性率の算出
参考例２と同様に行った。【００７８】
２．結果
図１２Ａ及びＢに、抗Ｋｉ−６７抗体又は抗サイトケラチン抗体で検出した蛍光強度のヒストグラム（黒色実線）とそれらのアイソタイプコントロール抗体で検出した蛍光強度のヒストグラム（灰色破線）を重ね合わせたチャートを示した。サイトケラチンはいずれのタンパク質分解酵素を用いた場合でも、検出可能であった（図１２Ｂ）。それに対して、配列番号２のアミノ酸配列を認識切断しうるトリプシン、ディスパーゼ、及びプロテイナーゼＫの３種のタンパク質分解酵素を用いた場合は、シグナルが減少し、Ｋｉ−６７の陽性率が著しく低下した。一方、配列番号２のアミノ酸配列を認識切断しないトロンビン及びプロリンエンドペプチダーゼはＫｉ−６７の陽性率が上昇し、Ｋｉ−６７抗原の抗原性を増強していることが示された（図１２Ａ）。【００７９】
＜実施例７＞
各種消化酵素を使用した際の乳癌組織のＦＦＰＥ切片中のＫｉ−６７及びサイトケラチンの検出
１．材料及び方法
乳癌組織のＦＦＰＥ切片を５種の異なる消化酵素にて抗原賦活化し、Ｋｉ−６７及びサイトケラチンのシグナル強度を比較した。
１−１．ＦＦＰＥ組織ブロック
参考例１で用いたＦＦＰＥ組織ブロックを用いた。
１−２．ＦＦＰＥ切片の作成
参考例３と同様に行った。
１−３．脱パラフィン／親水化
参考例１と同様に処理した。
１−４．熱処理による抗原賦活化
参考例１と同様に処理した。
１−５Ａ．酵素による抗原賦活化（トロンビン）
実施例１と同様に行った。
１−５Ｂ．酵素による抗原賦活化（トリプシン）
実施例６と同様に行った。
１−５Ｃ．酵素による抗原賦活化（プロテイナーゼＫ）
実施例６と同様に行った。
１−５Ｄ．酵素による抗原賦活化（ディスパーゼ）
実施例６と同様に行った。
１−５Ｅ．酵素による抗原賦活化（プロリンエンドペプチダーゼ）
実施例６と同様に行った。
１−６．水流破砕
参考例１と同様に行った。
１−７．免疫蛍光染色
参考例２と同様に行った。ここでは、１次抗体はＫｉ−６７抗体（Ｄａｋｏ、クローン：ＭＩＢ−１、マウスモノクローナル抗体）、及びｐａｎ−サイトケラチン抗体（Ａｂｃａｍ、ウサギポリクローナル抗体）を用い、２次抗体としてＴｈｅｒｍｏｆｉｓｈｅｒ社Ｇｏａｔ ａｎｔｉ−Ｍｏｕｓｅ Ｓｅｃｏｎｄａｒｙ Ａｎｔｉｂｏｄｙ Ａｌｅｘａ ６４７、及びＡｂｃａｍ社Ｇｏａｔ ａｎｔｉ−Ｒａｂｂｉｔ Ｓｅｃｏｎｄａｒｙ Ａｎｔｉｂｏｄｙ Ａｌｅｘａ ４８８を使用した。
１−８．フローサイトメーター測定
参考例２と同様に行った。
１−９．サイトケラチン及びＫｉ−６７陽性率の算出
参考例３と同様に行った。【００８０】
２．結果
図１３Ａ及びＢに抗Ｋｉ−６７抗体又は抗サイトケラチン抗体で検出した蛍光強度のヒストグラム（黒色実線）とそれらのアイソタイプコントロールで検出した蛍光強度のヒストグラム（灰色破線）を重ね合わせたチャートを示す。サイトケラチンはいずれのタンパク質分解酵素を用いた場合でも、検出可能であった（図１３Ｂ）。それに対して、実施例６と同様に配列番号２のペプチドを認識切断しうるトリプシン、ディスパーゼ、プロテイナーゼＫの酵素を使用した際にはＫｉ−６７抗体（黒色実線）の蛍光強度が大幅に減少していた（図１３Ａ）。【００８１】
＜実施例８＞
認識部位の異なる抗体を用いたＫｉ−６７の検出
１．材料及び方法
乳癌組織のＦＦＰＥ組織切片中のサイトケラチン及びＫｉ−６７のシグナルをフローサイトメーターにて確認した。Ｋｉ−６７抗体は、ＭＩＢ−１クローンとこれと認識部位の異なる抗体としてＳ５クローンとを使用した。
１−１．ＦＦＰＥ組織ブロック
参考例１で用いたＦＦＰＥ組織ブロックを用いた。
１−２．ＦＦＰＥ切片の作成
参考例３と同様に行った。
１−３．脱パラフィン／親水化
参考例１と同様に処理した。
１−４．熱処理による抗原賦活化
参考例１と同様に処理した。
１−５．酵素による抗原賦活化処理
実施例１と同様に処理した。
１−６．水流破砕
参考例１と同様に行った。
１−７．免疫蛍光染色
参考例２と同様に行った。ここでは、１次抗体としてＫｉ６７ ＭＩＢ−１抗体（Ｄａｋｏ、マウスモノクローナル抗体）もしくはＫｉ６７ Ｓ５抗体（Ｍｉｌｌｉｐｏｒｅ、マウスモノクローナル抗体）、及びｐａｎ−サイトケラチン抗体（Ａｂｃａｍ、ウサギポリクローナル抗体）を用い、２次抗体としてＴｈｅｒｍｏｆｉｓｈｅｒ社Ｇｏａｔ ａｎｔｉ−Ｍｏｕｓｅ Ｓｅｃｏｎｄａｒｙ Ａｎｔｉｂｏｄｙ Ａｌｅｘａ ６４７、及びＡｂｃａｍ社Ｇｏａｔ ａｎｔｉ−Ｒａｂｂｉｔ Ｓｅｃｏｎｄａｒｙ Ａｎｔｉｂｏｄｙ Ａｌｅｘａ ４８８を使用した。
１−８．フローサイトメーター測定
参考例２と同様に行った。
１−９．サイトケラチン及びＫｉ−６７陽性率の算出
参考例３と同様に行った。【００８２】
２．結果
図１４に、抗Ｋｉ−６７抗体又は抗サイトケラチン抗体で検出した蛍光強度のヒストグラム（黒色実線）と、それらのアイソタイプコントロールで検出した蛍光強度のヒストグラム（灰色）を重ね合わせたチャートを示す（上段：Ｋｉ−６７；下段：サイトケラチン）。Ｋｉ−６７抗体のピークがアイソタイプコントロールと比較し高い蛍光強度を示した。これにより、ＦＦＰＥ組織切片中のサイトケラチン及びＫｉ−６７の検出を確認し、Ｋｉ−６７のＭＩＢ−１クローンに限らず、Ｓ５クローンでも検体中のＫｉ−６７を検出可能であることが示唆された。【００８３】
＜比較例１＞
公知の方法によるＦＦＰＥ組織切片中のＫｉ−６７シグナルの検出 
１．材料及び方法
公知の先行文献法（非特許文献４：Ｃｙｔｏｍｅｔｒｙ ２７：２８３−２８９）により乳癌組織のＦＦＰＲ組織切片中のサイトケラチン及びＫｉ―６７シグナルの検出を行った。
１−１．ＦＦＰＥ組織ブロック
参考例１で用いたＦＦＰＥ組織ブロックを用いた。
１−２．ＦＦＰＥ切片の作成
参考例３と同様に行った。
１−３．脱パラフィン／親水化
参考例１と同様に処理した。
１−５．酵素による抗原賦活化（トリプシン）：既存法
親水化処理した組織切片にトリプシン試薬（２５ｍＭ ＰＢＳ ｐＨ７．４、１ｍｇ／ｍｌ ＣａＣｌ２、１ｍｇ／ｍＬトリプシン）２５０μＬを添加し３７℃下、７０分間加熱した。酵素処理後はＰＢＳで洗浄して酵素を取り除いた。
１−７．免疫蛍光染色 
１０％正常ヤギ血清（和光）を添加した４％ＢＳＡ／ＴＢＳを酵素による抗原賦活化後の試料が入ったマイクロチューブに添加し、室温下３０分間静置し、ブロッキング処理した。免疫蛍光染色は１次抗体としてＫｉ６７ ＭＩＢ−１抗体（Ｄａｋｏ、マウスモノクローナル抗体）もしくはＫｉ６７ Ｓ５抗体（Ｍｉｌｌｉｐｏｒｅ、マウスモノクローナル抗体）、及びサイトケラチン抗体（Ａｂｃａｍ、ラビットポリクローナル抗体）を用い、２次抗体はＴｈｅｒｍｏｆｉｓｈｅｒ社Ｇｏａｔ ａｎｔｉ−Ｍｏｕｓｅ Ｓｅｃｏｎｄａｒｙ Ａｎｔｉｂｏｄｙ Ａｌｅｘａ ６４７、及びＡｂｃａｍ社Ｇｏａｔ ａｎｔｉ−Ｒａｂｂｉｔ Ｓｅｃｏｎｄａｒｙ Ａｎｔｉｂｏｄｙ Ａｌｅｘａ ４８８を使用した。１次抗体反応時間は４℃オーバーナイトで反応させた。
２次抗体は４０分間反応させ、２次抗体添加後２０分後に細胞核を染色する色素ＤＡＰＩ Ｓｏｌｕｔｉｏｎ（和光）を添加した。２次抗体添加以降は全て室温で遮光下にて行った。抗体希釈液には０．５％ＢＳＡ／ＴＢＳを使用し、各工程の間には１回ずつ０．５%ＢＳＡ／ＴＢＳによる洗浄操作を行った。また、ネガティブコントロールとして１次抗体の代わりにそれぞれ対応する１次抗体と同種、同濃度の抗体を用いた。マウス抗体はＤａｋｏ社のマウスＩｇＧ抗体を使用し、ラビット抗体はＣｅｌｌｓｉｇｎａｌｉｎｇ ｔｅｃｈｎｏｌｏｇｙ社のラビットＩｇＧ抗体を用いた。
１−８．フローサイトメーター測定
参考例２と同様に行った。
１−９．フローサイトメーターによるサイトケラチン及びＫｉ−６７陽性率の算出
参考例３と同様に行った。【００８４】
２．結果
図１５（上段：Ｋｉ−６７；下段：サイトケラチン）に示すとおり、非特許文献４に記載された既存法では、Ｋｉ−６７のＳ５クローンを使用した場合、検出することができたが、ＭＩＢ−１クローン抗体を用いたサンプルではＫｉ−６７由来の蛍光ピークが大幅に減少しており、Ｋｉ−６７を検出することができなかった。【００８５】
＜実施例９＞
ＦＦＰＥ切片中のＥＲ及びＰｇＲの検出
１．材料及び方法
ＥＲ及びＰｇＲの陽性及び陰性が既知となっているＦＦＰＥ組織切片を用い、トロンビンで抗原賦活化し、水流破砕により細胞核を抽出し、フローサイトメーターを用いてＥＲ及びＰｇＲのシグナル確認を行った。
１−１．ＦＦＰＥ組織ブロック
ＥＲ及びＰｇＲの陽性試料として、Ｐｒｏｔｅｏｇｅｎｅｘ社より購入したＥＲ陽性検体（Ａｌｌ  ｒｅｄ  Ｓｃｏｒｅ  ＥＲ７）、及びＰｇＲ陽性検体（Ａｌｌ  ｒｅｄ  Ｓｃｏｒｅ  ＰｇＲ８）を用い、ＥＲ及びＰｇＲの陰性試料として、ＥＲ及びＰｇＲ陰性検体（Ａｌｌ  ｒｅｄ  Ｓｃｏｒｅ  ＥＲ０及びＰｇＲ０）のＦＦＰＥ組織切片を用いた。
１−２．ＦＦＰＥ切片の作成
参考例３と同様にして作成した。
１−３．脱パラフィン／親水化
参考例１と同様に処理した。
１−４．熱処理による抗原賦活化
参考例１と同様に処理した。
１−５．酵素による抗原賦活化
熱処理による抗原賦活化後、ＥＲ陽性検体は、トロンビンで抗原賦活化した。また、ＰｇＲ陽性検体とＥＲ及びＰｇＲ陰性検体は、トロンビンまたはプロリンエンドペプチダーゼで抗原賦活化した。トロンビンでの抗原賦活化は実施例１と同様に行い、プロリンエンドペプチダーゼでの抗原賦活化は実施例６と同様に行った。
１−６．水流破砕
参考例１と同様に行った。
１−７．免疫蛍光染色
１０％正常ヤギ血清（和光）を添加した４％ＢＳＡ／ＴＢＳを水流破砕後の試料が入ったマイクロチューブに添加し、室温下３０分間静置し、ブロッキング処理した。免疫蛍光染色は１次抗体としてＥＲ抗体（Ａｂｃａｍ、クローン：ＳＰ１、ウサギモノクローナル抗体）もしくはＰｇＲ抗体（Ｔｈｅｒｍｏｆｉｓｈｅｒ、クローン：ＳＰ２、ウサギモノクローナル抗体）を用い、２次抗体はＡｂｃａｍ社Ｇｏａｔ  ａｎｔｉ−Ｒａｂｂｉｔ  Ｍｏｕｓｅ  Ｓｅｃｏｎｄａｒｙ  Ａｎｔｉｂｏｄｙ  Ａｌｅｘａ  ４８８を使用した。１次抗体は室温で４５分間反応させた。２次抗体は室温で４０分間反応させ、２次抗体添加後２０分後に細胞核を染色する色素ＤＡＰＩ  Ｓｏｌｕｔｉｏｎ（和光）を添加した。
１−８．フローサイトメーター測定
参考例２と同様に行った。
１−９．ＥＲ及びＰｇＲ陽性率の算出
得られた測定データの解析にはＦＬＯＷＪＯ  ＬＬＣ社製ソフトＦｌｏｗＪｏ  ｖ１０を用いた。ＤＡＰＩの蛍光量を横軸、細胞（核）個数を縦軸として、横軸の蛍光量が５〜１５０の領域を細胞核としてゲーティングした。ＥＲ及びＰｇＲの陽性率は、全細胞核中のＥＲ陽性核数及びＰｇＲの陽性核数の割合として算出した。陽性核の閾値はアイソタイプコントロールの９０パーセンタイル値とした。【００８６】
２．結果
図１６に抗ＥＲ抗体又は抗ＰｇＲ抗体で検出した蛍光強度のヒストグラム（黒色実線）と、それらのアイソタイプコントロール抗体で検出した蛍光強度のヒストグラム（灰色破線）を重ね合わせたチャートを示す。ＥＲ陽性及びＰｇＲ陽性ＦＦＰＥ組織切片を配列番号２のペプチドを認識切断しない酵素で処理しても、黒色のピークが灰色と比較し高い蛍光強度を示し、ＥＲ及びＰｇＲは共に検出された。一方で、ＥＲ及びＰｇＲ陰性ＦＦＰＥ組織切片ではＥＲ及びＰｇＲは検出されなかった。【００８７】
＜実施例１０＞
異なる熱処理抗原賦活化剤を用いた場合の、固定化乳癌細胞中のＫｉ−６７及びサイトケラチンのシグナルの比較 
１．材料及び方法
ホルマリンで固定化した乳癌細胞株ＭＤＡ−ＭＢ−２３１を３種類の抗原賦活化剤を用いて熱処理による抗原賦活化をし、トロンビン酵素処理後、免疫蛍光染色を行い、サイトケラチンとＫｉ−６７をフローサイトメーターで検出した。
１−１．細胞
ＡＴＣＣ（Ａｍｅｒｉｃａｎ Ｔｙｐｅ Ｃｕｌｔｕｒｅ Ｃｏｌｌｅｃｔｉｏｎ）より入手した乳癌細胞株ＭＤＡ−ＭＢ−２３１を用いた。
１−２．細胞培養とホルマリン固定
参考例２と同様に行った。
１−４Ａ．熱処理による抗原賦活化（Ｈｉｓｔｏ ＶＴ ＯＮＥ）
参考例１と同様の処理を行った。
１−４Ｂ．熱処理による抗原賦活化（抗原賦活化液ｐＨ９）
抗原賦活化液ｐＨ９（ニチレイバイオサイエンス）を使用した。処理の手順及び条件は参考例１と同様にして行った。
１−４Ｃ．熱処理による抗原賦活化（イムノセイバー）
抗原賦活化液イムノセイバー（日新ＥＭ）を使用した。処理の手順及び条件は参考例１と同様にして行った。
１−５．酵素による抗原賦活化
実施例１と同様に処理した。
１−７．免疫蛍光染色
参考例２と同様に行った。
１−８．フローサイトメーター測定
参考例２と同様に行った。
１−９．サイトケラチン及びＫｉ−６７の陽性率の算出
参考例３と同様に行った。【００８８】
２．結果
図１７に抗Ｋｉ−６７抗体又は抗サイトケラチン抗体で検出した蛍光強度のヒストグラム（黒色実線）と、それらのアイソタイプコントロール抗体で検出した蛍光強度のヒストグラム（灰色破線）を重ね合わせたチャートを示す（上段：Ｋｉ−６７；下段：サイトケラチン）。いずれの賦活化液でも、黒色のピークが灰色と比較し高い蛍光強度を示した。これらより、ホルマリン固定化細胞中のサイトケラチン及びＫｉ−６７の検出を確認し、賦活化液を変更しても有用であることを確認した。【００８９】
＜実施例１１＞
細胞核を抽出する工程における各種破砕方法の、ＦＦＰＥ組織切片中のサイトケラチン及びＫｉ−６７の検出への影響
１．材料及び方法
乳癌組織のＦＦＰＥ組織切片を用い、３種の破砕方法、及び破砕方法の組み合わせを用いて細胞核を抽出し、フローサイトメーターを用いてサイトケラチン及びＫｉ−６７のシグナル強度を比較した。
１−１．ＦＦＰＥ組織ブロック
参考例１で用いたＦＦＰＥ組織ブロックを用いた。
１−２．ＦＦＰＥ切片の作成
参考例３と同様に行った。
１−３．脱パラフィン／親水化
参考例１と同様に行った。
１−４．熱処理による抗原賦活化
参考例１と同様に行った。
１−５．酵素による抗原賦活化
実施例１と同様に処理した。
１−６Ａ．マッシャー
ニッピ社のバイオマッシャー（登録商標）IIを用い、氷冷下、ＴＢＳ１ｍＬ中で酵素処理後の組織を２０回すり潰した。
１−６Ｂ．乳鉢
乳鉢と乳棒を用い、ＴＢＳ１ｍＬ中で酵素処理後の組織をすり潰した。
１−６Ｃ．超音波破砕
ＳＯＮＩＣＳ＆ＭＡＴＥＲＩＡＬＳ社の超音波破砕装置（ＶＣＸ１３０ＰＢ）を用い、氷冷下、ＴＢＳ１ｍＬ中で酵素処理後の組織を出力強度４０％で２０秒間破砕した。
１−６Ｄ．水流破砕と超音波破砕の組み合わせ
Ｓｙｓｍｅｘ社の水流せん断装置（ＲＰ−１０）を用い、氷冷下、ＴＢＳ１ｍＬ中で酵素処理後の組織を１０，０００ｒｐｍ、１分間破砕した。さらに、ＳＯＮＩＣＳ＆ＭＡＴＥＲＩＡＬＳ社の超音波破砕装置（ＶＣＸ１３０ＰＢ）を用い、氷冷下、ＴＢＳ１ｍＬ中で水流破砕後の組織を出力強度２０％で３０秒間破砕した。
１−７．免疫蛍光染色
参考例２と同様に行った。
１−８．フローサイトメーター測定
参考例２と同様に行った。
１−９．サイトケラチン及びＫｉ−６７陽性率の算出
得られた測定データの解析にはＦＬＯＷＪＯ  ＬＬＣ社製ソフトＦｌｏｗＪｏ  ｖ１０を用いた。ＤＡＰＩの蛍光量を横軸、細胞（核）個数を縦軸として、横軸の蛍光量が５〜１５０の領域を細胞核としてゲーティングした。サイトケラチン及びＫｉ−６７の陽性率は、全細胞核中のサイトケラチン陽性核数及びＫｉ−６７の陽性核数の割合として算出した。陽性核の閾値はアイソタイプコントロールの９０パーセンタイル値とした。【００９０】
２．結果
図１８に抗サイトケラチン抗体又は抗Ｋｉ−６７抗体で検出した蛍光強度のヒストグラム（黒色実線）と、それらのアイソタイプコントロール抗体で検出した蛍光強度のヒストグラム（灰色破線）を重ね合わせたチャートを示す。いずれの破砕方法でも、黒色実線のピークが灰色破線と比較して高い蛍光強度を示した。これらより、各種の破砕方法を用いてＦＦＰＥ組織切片中のサイトケラチン及びＫｉ−６７の検出が可能であることを確認した。【００９１】
＜実施例１２＞
超音波破砕によるリンパ球の優先的破砕
１．材料及び方法
ホルマリンで固定化した乳癌細胞株及びリンパ芽球性細胞株を用い、超音波破砕が細胞核の取得に影響を及ぼすかを確認した。
１−１．細胞
ＡＴＣＣ（Ａｍｅｒｉｃａｎ Ｔｙｐｅ Ｃｕｌｔｕｒｅ Ｃｏｌｌｅｃｔｉｏｎ）より乳癌細胞株ＳＫＢｒ３及びＭＤＡ−ＭＢ−２３１、並びにリンパ芽球性細胞株Ｊｕｒｋａｔを入手して、使用した。
１−２．細胞培養とホルマリン固定
１−４．熱処理による抗原賦活化
参考例１と同様に処理した。
１−５．酵素による抗原賦活化処理
実施例１と同様に処理した。
１−６．超音波破砕
ＳＯＮＩＣＳ＆ＭＡＴＥＲＩＡＬＳ社の超音波破砕装置（ＶＣＸ１３０ＰＢ）を用い、氷冷下、ＴＢＳ１ｍＬ中で酵素処理後の細胞を出力強度２０％で３０秒間破砕した。
１−７．細胞核染色
細胞核を染色する色素ＤＡＰＩ  Ｓｏｌｕｔｉｏｎ（和光）を添加し、遮光２０分間反応した。
１−８．フローサイトメーター測定
参考例２と同様に行った。【００９２】
２．結果
図１９に、前方散乱を横軸、側方散乱を縦軸とした各細胞株のスキャッタグラムを示す。乳癌細胞ＳＫＢｒ３及びＭＤＡ−ＭＢ−２３１において、超音波破砕の有無により、主要な細胞核領域の位置が変化しないことを確認した。一方で、リンパ球Ｊｕｒｋａｔにおいて、超音波破砕により主要な細胞核領域が消失した。したがって、上皮細胞は、超音波破砕により破壊されず、リンパ球芽球性細胞が優先的に超音波破砕されることが示唆された。【００９３】
＜実施例１３＞
界面活性剤の添加による解析細胞核数の増加
１．材料及び方法
乳癌組織のＦＦＰＥ組織切片を用い、超音波破砕時に界面活性剤を添加し、細胞核の取得に変化を及ぼすかを確認した。
１−１．ＦＦＰＥ組織ブロック
Ｐｒｏｔｅｏｇｅｎｅｘ社より購入した、ＩＨＣ法によってＫｉ−６７陽性率が異なった２人の乳癌患者から得られた２種のＦＦＰＥ組織ブロックを使用した。
１−２．ＦＦＰＥ切片の作成
参考例３と同様に行った。
１−３．脱パラフィン／親水化
参考例１と同様に行った。
１−４．熱処理による抗原賦活化
参考例１と同様に行った。
１−５．酵素による抗原賦活化処理
実施例１と同様に処理した。
１−６．超音波破砕
ＳＯＮＩＣＳ＆ＭＡＴＥＲＩＡＬＳ社の超音波破砕装置（ＶＣＸ１３０ＰＢ）を用い、氷冷下、ＴＢＳ、１％ＣＨＡＰＳ（和光）を含むＴＢＳ、１％ＮＰ−４０（和光）を含むＴＢＳ、または１％Ｔｒｉｔｏｎ−Ｘ１００（和光）を含むＴＢＳ１ｍＬ中で酵素による抗原賦活化後の組織及び細胞を出力強度２０％で３０秒間破砕した。
１−７．細胞核染色
細胞核を染色する色素ＤＡＰＩ  Ｓｏｌｕｔｉｏｎ（和光）を添加し、遮光２０分間反応した。
１−８．フローサイトメーター測定
参考例２と同様に行った。【００９４】
２．結果
図２０に、界面活性剤を無添加の緩衝液中で超音波破砕した場合と、上記各種界面活性剤を添加した緩衝液中で超音波破砕した場合とで、前方散乱を横軸、側方散乱を縦軸としたスキャッタグラムを示し、表３にフローサイトメーター測定時の総解析細胞核数を示した。界面活性剤の添加により、総解析細胞核数が増加することが確認された。
【表３】
2019168085.tif 000005
【００９５】
＜比較例２＞
異なる病理医によるＫｉ−６７陽性細胞の測定
１．材料及び方法
２名の病理医によって算出されたＩＨＣ法によるＦＦＰＥ組織切片中のＫｉ−６７陽性率の相関性を確認した。
１−１．ＦＦＰＥ組織ブロック
Ｐｒｏｔｅｏｇｅｎｅｘ社より購入した、ＩＨＣ法によってＫｉ−６７陽性率が異なった３８人の患者から得られた３８種のＦＦＰＥ組織ブロックを使用した。
１−１０．ＩＨＣ法によるＫｉ−６７陽性率算出
実施例５で言及したのと同様に実施した。【００９６】
２．結果
図２１に結果を示す。同一サンプルであっても病理医によって、Ｋｉ−６７陽性率が異なる値となり、ばらつきが比較的大きいことがわかった。【００９７】
＜参考例４＞
各種消化酵素での抗原賦活化後の認識部位の異なる抗Ｋｉ−６７抗体での検出
１．材料及び方法
ホルマリンで固定化した乳癌細胞を用い、３種の消化酵素（トロンビン、ディスパーゼ、プロテイナーゼＫ）の何れかで抗原賦活化後、蛍光免疫染色し、フローサイトメーターを用いてＫｉ−６７及びサイトケラチンを検出した。
１−１．細胞
参考例２で用いた３種の乳癌細胞株を用いた。
１−２．細胞培養とホルマリン固定
参考例２と同様に行った。
１−４．熱処理による抗原賦活化
参考例１と同様の処理を行った。
１−５Ａ．酵素による抗原賦活化（トロンビン）
実施例１と同様に処理した。
１−５Ｂ．酵素による抗原賦活化（ディスパーゼ）
実施例６と同様に処理した。
１−５Ｃ．酵素による抗原賦活化（プロテイナーゼＫ）
実施例６と同様に処理した。
１−７．免疫蛍光染色
参考例２と同様に行った。ここでは、１次抗体はＫｉ−６７抗体（Ｍｉｌｌｉｐｏｒｅ、クローン：Ｓ５（Ｋｉ−Ｓ５）、マウスモノクローナル抗体）、及びｐａｎ−サイトケラチン抗体（Ａｂｃａｍ、ウサギポリクローナル抗体）を用い、２次抗体としてＴｈｅｒｍｏｆｉｓｈｅｒ社Ｇｏａｔ ａｎｔｉ−Ｍｏｕｓｅ Ｓｅｃｏｎｄａｒｙ Ａｎｔｉｂｏｄｙ Ａｌｅｘａ ６４７、及びＡｂｃａｍ社Ｇｏａｔ ａｎｔｉ−Ｒａｂｂｉｔ Ｓｅｃｏｎｄａｒｙ Ａｎｔｉｂｏｄｙ Ａｌｅｘａ ４８８を使用した。
１−８．フローサイトメーター測定
参考例２と同様に行った。
１−９．Ｋｉ−６７陽性率の算出
参考例３と同様に行った。【００９８】
２．結果
図２２Ａ及びＢに抗Ｋｉ−６７抗体（Ｋｉ−Ｓ５）又は抗サイトケラチン抗体で検出した蛍光強度のヒストグラム（黒色実線）とそれらのアイソタイプコントロールで検出した蛍光強度のヒストグラム（灰色破線）を重ね合わせたチャートを示す。いずれの酵素で抗原賦活化した場合でも、黒色実線のピークが灰色破線と比較して高い蛍光強度を示した。これらより、いずれの酵素で抗原賦活化した場合でも、抗Ｋｉ−６７抗体（Ｋｉ−Ｓ５）及び抗サイトケラチン抗体の抗原認識部位が保持され、Ｋｉ−６７及びサイトケラチンの検出が可能であることを確認した。【００９９】
＜実施例１４＞
ＦＦＰＥ組織切片中のサイトケラチン及びＫｉ−６７陽性核判定における閾値の検討
１．材料及び方法
ＦＦＰＥ組織切片中のサイトケラチン及びＫｉ−６７由来のシグナルをフローサイトメーターにて検出し、陽性核の閾値を変化させた際の陽性率を算出した。
１−１．ＦＦＰＥ組織ブロック
参考例１で用いたＦＦＰＥ組織ブロックを用いた。
１−２．ＦＦＰＥ切片の作成
参考例３と同様に行った。
１−３．脱パラフィン／親水化
参考例１と同様に行った。
１−４．熱処理による抗原賦活化
参考例１と同様に行った。
１−５．酵素による抗原賦活化
実施例１と同様に行った。
１−６．水流破砕と超音波破砕の組み合わせ
Ｓｙｓｍｅｘ社の水流せん断装置（ＲＰ−１０）を用い、氷冷下、ＴＢＳ１ｍＬ中で酵素処理後の組織を１０，０００ｒｐｍ、１分間破砕した。さらに、ＳＯＮＩＣＳ＆ＭＡＴＥＲＩＡＬＳ社の超音波破砕装置（ＶＣＸ１３０ＰＢ）を用い、氷冷下、ＴＢＳ１ｍＬ中で水流破砕後の組織を出力強度２０％で３０秒間破砕した。
１−７．免疫蛍光染色
参考例２と同様に行った。
１−８．フローサイトメーター測定
参考例２と同様に行った。
１−９．サイトケラチン及びＫｉ−６７陽性率の算出
得られた測定データの解析にはＦＬＯＷＪＯ  ＬＬＣ社製ソフトＦｌｏｗＪｏ  ｖ１０を用いた。ＤＡＰＩの蛍光量を横軸、細胞（核）個数を縦軸として、横軸の蛍光量が５〜１５０の領域を細胞核としてゲーティングした。サイトケラチン及びＫｉ−６７の陽性率は、全細胞核中のサイトケラチン陽性核数及びＫｉ−６７の陽性核数の割合として算出した。陽性核の閾値はアイソタイプコントロールの６０、７０、８０、９０及び９５パーセンタイル値とした。陽性率はフローサイトメーターによる検出値−（１００−閾値）で算出した。【０１００】
２．結果
図２３に閾値を変化させ、抗サイトケラチン抗体及び抗Ｋｉ−６７抗体で検出した蛍光強度のヒストグラム（黒色実線）と、それらのアイソタイプコントロール抗体で検出した蛍光強度のヒストグラム（灰色破線）を重ね合わせたチャートを示す。いずれの閾値を用いた場合でも陽性率が算出された。従って、サイトケラチン及びＫｉ−６７陽性率は閾値に依らず算出される事が可能である。【０１０１】
＜実施例１５＞
ＦＦＰＥ組織切片中のＨＥＲ２の検出
１．材料及び方法
ＨＥＲ２陽性（検体Ａ：Ｓｃｏｒｅ  ３＋）及び陰性（検体Ｂ：Ｓｃｏｒｅ  ０）が既知となっているＦＦＰＥ組織切片をそれぞれ用い、水流破砕及び超音波破砕により細胞核を抽出し、ＦＩＳＨ法によりＨＥＲ２の増幅を確認した。
１−１．ＦＦＰＥ組織ブロック
参考例１で用いたＦＦＰＥ組織ブロックを用いた。
１−２．ＦＦＰＥ切片の作成
参考例３と同様に行った。
１−３．脱パラフィン／親水化
参考例１と同様に行った。
１−４．熱処理による抗原賦活化
参考例１と同様に行った。
１−５．酵素による抗原賦活化
実施例１と同様に行った。
１−６．水流破砕と超音波破砕の組み合わせ
Ｓｙｓｍｅｘ社の水流せん断装置（ＲＰ−１０）を用い、氷冷下、ＴＢＳ１ｍＬ中で酵素処理後の組織を１０，０００ｒｐｍ、１分間破砕した。さらに、ＳＯＮＩＣＳ＆ＭＡＴＥＲＩＡＬＳ社の超音波破砕装置（ＶＣＸ１３０ＰＢ）を用い、氷冷下、ＴＢＳ１ｍＬ中で水流破砕後の組織を出力強度２０％で３０秒間破砕した。
１−７．ＦＩＳＨによるＨＥＲ２の検出
組織破砕後のサンプルをスライドガラスに乗せ、乾燥後、１０％中性緩衝ホルマリンに室温で１０分間浸漬した。スライドガラスをＴＢＳで洗浄し、風乾後、パスビジョン(R)ＨＥＲ−２  ＤＮＡプローブキット（アボット）を用いてＦＩＳＨ染色を行った（操作は、キット添付書類に従った）。
１−８．蛍光顕微鏡
顕微鏡観察には、オールインワン蛍光顕微鏡ＢＺ−Ｘ７１０（キーエンス）を使用した。観察時にはＤＡＰＩフィルタ（Ｅｘ  ３６０ｎｍ、Ｅｍ  ４６０ｎｍ）、ＴＲＩＴＣフィルタ（Ｅｘ  ５４５ｎｍ、Ｅｍ  ６０５ｎｍ）使用した。対物レンズは２０倍を使用した。【０１０２】
２．結果
図２４に蛍光顕微鏡で観測した細胞核を示す。ＨＥＲ２陽性ＦＦＰＥ組織切片中においてＨＥＲ２由来の蛍光シグナルが検出でき、一方でＨＥＲ２陰性ＦＦＰＥ組織切片中において、検出されないことを確認した。
【産業上の利用可能性】
【０１０３】
本願発明により、客観性、再現性、普遍性の高いＫｉ−６７陽性細胞の検出（定量）方法が確立される。加えて、ＥＲ陽性細胞、ＰｇＲ陽性細胞、Ｈｅｒ２陽性細胞を定量することにより、がんの内因性サブタイプの分類を可能にする。
本発明より提供されるプロトコール（所定の酵素による抗原賦活化を含む前処理プロセス含む）を用いることで、ＦＦＰＥ組織切片から標的抗原の抗原性を増強した細胞核の脱離を達成する。回収した分散細胞核は、単一の細胞核として解析することが可能である。例えば、核膜上や核内のタンパク質、核酸等が解析対象となり、色素（蛍光）染色による形態の観察や、酵素もしくは蛍光色素で標識した抗体、核酸等のリガンドを用いることで、これらの対象を検出できる。本願発明の方法、抗原賦活剤及びキットは、顕微鏡での形態観測、ＩＨＣ、ＥＩＡ、ＣＬＥＩＡ、デジタルＰＣＲでの解析や、イメージングサイトメーター又はフローサイトメーターによるサイトメトリー解析に利用することができる。特に、本願発明の好ましい実施形態によれば、フローサイトメトリー解析による脱離核中の対象タンパク質の陽性核の割合（特にＫｉ−６７陽性率）の算出に利用することが可能である。【０１０４】
本発明より提供されるプロトコール（所定の酵素による抗原賦活化を含む前処理プロセスを含む）を用いることで、ばらつきの少ない病理診断の指標を提供することが可能である。
そして、このばらつきの少ない指標を用いて、患者に最適な診断レジメンを提供することが可能である。抗がん剤治療はそれ自体患者に対する負担も大きく、患者にあった治療レジメンを治療開始前に決めることは患者のＱＯＬ（ＱｕａｌｉｔｙｏｆＬｉｆｅ）を保つ上でも重要である。本願発明の場合、外科手術前の化学治療（術前抗がん剤治療）の治療レジメンに応用できるだけなく、外科手術で腫瘍摘出後の（予後）治療レジメンにも応用できる。
【図１】
2019168085.tif 000006
【図２】
2019168085.tif 000007
【図３】
2019168085.tif 000008
【図４】
2019168085.tif 000009
【図５】
2019168085.tif 000010
【図６】
2019168085.tif 000011
【図７】
2019168085.tif 000012
【図８】
2019168085.tif 000013
【図９Ａ】
2019168085.tif 000014
【図９Ｂ】
2019168085.tif 000015
【図１０】
2019168085.tif 000016
【図１１】
2019168085.tif 000017
【図１２Ａ】
2019168085.tif 000018
【図１２Ｂ】
2019168085.tif 000019
【図１３Ａ】
2019168085.tif 000020
【図１３Ｂ】
2019168085.tif 000021
【図１４】
2019168085.tif 000022
【図１５】
2019168085.tif 000023
【図１６】
2019168085.tif 000024
【図１７】
2019168085.tif 000025
【図１８】
2019168085.tif 000026
【図１９】
2019168085.tif 000027
【図２０】
2019168085.tif 000028
【図２１】
2019168085.tif 000029
【図２２Ａ】
2019168085.tif 000030
【図２２Ｂ】
2019168085.tif 000031
【図２３】
2019168085.tif 000032
【図２４】
2019168085.tif 000033
【配列表】
2019168085000001.app
【国際調査報告】
2019168085.tif 000034
2019168085.tif 000035
2019168085.tif 000036
2019168085.tif 000037
2019168085.tif 000038
2019168085.tif 000039
2019168085.tif 000040
2019168085.tif 000041
2019168085.tif 000042